(57)【要約】【課題】ケーブル保持力を高めつつ、ケーブルの挿抜作業性が悪化してしまうのを抑制することのできるコネクタを得る。【解決手段】コネクタ１０は、ハウジング３０に保持される端子４０およびロック部材５０を備えている。また、端子４０は、当該端子４０をハウジング３０に保持した状態でケーブル２０を収容空間３００内に挿入した際に、接触部４３１がケーブル２０と当接するように構成されている。また、ロック部材５０は、当該ロック部材５０をハウジング３０に保持した状態でケーブル２０を収容空間３００内に挿入した際に、ロック部５２１，５３１がケーブル２０と当接するように構成されている。そして、ケーブル挿抜方向に力が加えられたケーブル２０に接触部４３１が当接することで端子４０が弾性変形し、ロック部５２１，５３１が当接することでロック部材５０が弾性変形するようにした。【選択図】図１８
2019102292.tif 000002
【特許請求の範囲】
【請求項１】
シート状のケーブルが挿抜されるケーブル挿入開口を有する収容空間が形成されたハウジングと、
前記ケーブルに形成された導体に電気的に接続される接触部を有し、前記ハウジングに保持される端子と、
前記ケーブルに形成された被ロック部に係合するロック部を有し、前記ハウジングに保持されるロック部材と、
を備え、
前記端子は、当該端子を前記ハウジングに保持した状態で前記ケーブルを前記収容空間内に挿入した際に、前記接触部が前記ケーブルと当接するように構成されており、
前記ロック部材は、当該ロック部材を前記ハウジングに保持した状態で前記ケーブルを前記収容空間内に挿入した際に、前記ロック部が前記ケーブルと当接するように構成されており、
ケーブル挿抜方向に力が加えられた前記ケーブルに前記接触部が当接することで前記端子が弾性変形し、前記ケーブル挿抜方向に力が加えられた前記ケーブルに前記ロック部が当接することで前記ロック部材が弾性変形するようにしたことを特徴とするコネクタ。
【請求項２】
前記端子を前記ハウジングに保持するとともに、前記収容空間に前記ケーブルが挿入されていない状態で、前記収容空間における前記接触部が配置された部位には、前記ケーブルが挿入される側のケーブル厚さ方向の間隔が前記ケーブルの厚さよりも小さい第１のギャップが形成されており、
前記端子は、ケーブル挿抜方向に力が加えられた前記ケーブルによって前記第１のギャップが開く方向に弾性変形できるように、前記ハウジングに保持されており、
前記ロック部材を前記ハウジングに保持するとともに、前記収容空間に前記ケーブルが挿入されていない状態で、前記収容空間における前記ロック部が配置された部位には、前記ケーブルが挿入される側の前記ケーブル厚さ方向の間隔が前記ケーブルの厚さよりも小さい第２のギャップが形成されており、
前記ロック部材は、前記ケーブル挿抜方向に力が加えられた前記ケーブルによって前記第２のギャップが開く方向に弾性変形できるように、前記ハウジングに保持されていることを特徴とする請求項１に記載のコネクタ。
【請求項３】
前記端子および前記ロック部材が保持された前記ハウジングを前記ケーブル挿抜方向に沿って視た状態で、前記接触部の一部および前記ロック部の一部が、前記収容空間内に導入された前記ケーブルの先端面と重なり合うようにしたことを特徴とする請求項１または請求項２に記載のコネクタ。
【請求項４】
前記端子は、板状の部材を板厚方向に曲げた形状をしており、前記端子を板厚方向に弾性変形させることで、前記接触部を前記導体に接触させるようにしたことを特徴とする請求項１〜３のうちいずれか１項に記載のコネクタ。
【請求項５】
前記ロック部材が薄板状に形成されており、前記ロック部材を板厚方向と交差する方向に弾性変形させることで、前記ロック部を前記被ロック部に係合させるようにしたことを特徴とする請求項１〜４のうちいずれか１項に記載のコネクタ。
【請求項６】
前記端子は、前記ハウジングの前記ケーブル挿入開口が形成された側とは反対側から前記ハウジングに挿入されることを特徴とする請求項１〜５のうちいずれか１項に記載のコネクタ。
【請求項７】
前記ロック部材は、前記ハウジングの前記ケーブル挿入開口が形成された側とは反対側から前記ハウジングに挿入されることを特徴とする請求項１〜６のうちいずれか１項に記載のコネクタ。
【請求項８】
前記ロック部材を複数備えることを特徴とする請求項１〜７のうちいずれか１項に記載のコネクタ。
【請求項９】
前記複数のロック部材を前記ハウジングに保持した状態で、前記ケーブル挿抜方向および前記ケーブル厚さ方向と直交する方向に沿って視た際に、前記ケーブル挿抜方向にずれた位置に形成されたロック部を有するロック部材が少なくとも１つあることを特徴とする請求項８に記載のコネクタ。
【請求項１０】
前記導体は、少なくとも前記ケーブル厚さ方向の一方側に形成されており、
前記ロック部は、前記ケーブル厚さ方向の一方側から前記被ロック部に係合することを特徴とする請求項１〜９のうちいずれか１項に記載のコネクタ。
【請求項１１】
前記導体は、少なくとも前記ケーブル厚さ方向の一方側に形成されており、
前記ロック部は、前記ケーブル厚さ方向の他方側から前記被ロック部に係合することを特徴とする請求項１〜９のうちいずれか１項に記載のコネクタ。
【請求項１２】
前記ロック部は、前記ケーブル厚さ方向の両側から前記被ロック部に係合することを特徴とする請求項１〜９のうちいずれか１項に記載のコネクタ。
【請求項１３】
前記端子には、被実装部材に実装される実装部が形成されており、
前記実装部を前記被実装部材に実装した際に、前記ケーブル挿抜方向が前記被実装部材の実装面と交差する方向となるようにしたことを特徴とする請求項１〜１２のうちいずれか１項に記載のコネクタ。
【請求項１４】
前記ロック部材には、前記被実装部材に取り付けられる取付部が形成されており、
前記取付部は、前記実装部とは前記ケーブル厚さ方向の反対側で前記被実装部材に取り付けられることを特徴とする請求項１３に記載のコネクタ。
【請求項１５】
前記端子には、被実装部材に実装される実装部が形成されており、
前記実装部を前記被実装部材に実装した際に、前記ケーブル挿抜方向が前記被実装部材の実装面と略平行となるようにしたことを特徴とする請求項１〜１２のうちいずれか１項に記載のコネクタ。
【請求項１６】
前記ロック部材には、前記被実装部材に取り付けられる取付部が形成されており、
前記取付部は、前記実装部とは前記ケーブル挿抜方向の反対側で前記被実装部材に取り付けられることを特徴とする請求項１５に記載のコネクタ。
【請求項１７】
前記端子および前記ロック部材を前記ハウジングに保持した状態で、前記ケーブル挿抜方向および前記ケーブル厚さ方向と直交する方向に沿って視た際に、前記接触部および前記ロック部が前記ケーブル挿抜方向において略同位置にあることを特徴とする請求項１〜１６のうちいずれか１項に記載のコネクタ。
【発明の詳細な説明】
【技術分野】
【０００１】
本発明は、コネクタに関する。
【背景技術】
【０００２】
従来、コネクタとして、ＦＰＣ、ＦＦＣ等のシート状のケーブルが挿入されるハウジングと、ハウジングに弾性変形可能な状態で収容され、ハウジング内に挿入されたケーブルに導通接続する端子と、を備えるものが知られている（例えば、特許文献１参照）。
【０００３】
この特許文献１には、いわゆるＮＯＮ−ＺＩＦ（Non-Zero Insertion Force）タイプのコネクタ、すなわち、挿抜方向の力が加えられたケーブルによって端子を弾性変形させることでケーブルの挿抜を行えるようにしたコネクタが開示されている。
【先行技術文献】
【特許文献】
【０００４】
【特許文献１】特開平１０−１２５４１６号公報
【発明の概要】
【発明が解決しようとする課題】
【０００５】
上記特許文献１に示すコネクタ（ＮＯＮ−ＺＩＦタイプのコネクタ）とした場合、挿抜方向の力をケーブルに加えるだけでケーブルの挿抜を行うことができるため、ケーブルの挿抜作業性をよくすることができる。しかしながら、上記特許文献１に示すコネクタでは、ハウジングに挿入されたケーブルが端子の弾性復元力だけで保持されるため、ケーブルがハウジングから簡単に抜けてしまうおそれがある。
【０００６】
また、いわゆるＺＩＦ（Zero Insertion Force）タイプのコネクタのように、アクチュエータ等の可動部材を用いてケーブル保持力を高めるようにしたコネクタも知られている。
【０００７】
しかしながら、アクチュエータ等の可動部材を用いた場合、ケーブル保持力を高めることはできるが、ケーブルの挿抜時にアクチュエータ等の可動部材を操作する必要があるため、ケーブルの挿抜作業性が悪化してしまう。
【０００８】
このように、上記従来の技術では、ケーブルの挿抜作業性を悪化させることなくケーブル保持力の向上を図ることができなかった。
【０００９】
そこで、本発明は、ケーブル保持力を高めつつ、ケーブルの挿抜作業性が悪化してしまうのを抑制することのできるコネクタを得ることを目的とする。
【課題を解決するための手段】
【００１０】
本発明のコネクタは、シート状のケーブルが挿抜されるケーブル挿入開口を有する収容空間が形成されたハウジングと、前記ケーブルに形成された導体に電気的に接続される接触部を有し、前記ハウジングに保持される端子と、前記ケーブルに形成された被ロック部に係合するロック部を有し、前記ハウジングに保持されるロック部材と、を備えている。また、前記端子は、当該端子を前記ハウジングに保持した状態で前記ケーブルを前記収容空間内に挿入した際に、前記接触部が前記ケーブルと当接するように構成されている。また、前記ロック部材は、当該ロック部材を前記ハウジングに保持した状態で前記ケーブルを前記収容空間内に挿入した際に、前記ロック部が前記ケーブルと当接するように構成されている。そして、ケーブル挿抜方向に力が加えられた前記ケーブルに前記接触部が当接することで前記端子が弾性変形し、前記ケーブル挿抜方向に力が加えられた前記ケーブルに前記ロック部が当接することで前記ロック部材が弾性変形するようにした。
【発明の効果】
【００１１】
本発明によれば、ケーブル保持力を高めつつ、ケーブルの挿抜作業性が悪化してしまうのを抑制することのできるコネクタを得ることができる。
【図面の簡単な説明】
【００１２】
【図１】本発明の一実施形態にかかるコネクタの使用方法の一例を模式的に示す斜視図である。
【図２】本発明の一実施形態にかかるコネクタに挿入されるケーブルを示す図であって、（ａ）は平面図、（ｂ）は側面図である。
【図３】本発明の一実施形態にかかるコネクタを示す図であって、（ａ）は一方から視た斜視図、（ｂ）は他方から視た斜視図である。
【図４】本発明の一実施形態にかかるコネクタを示す図であって、（ａ）は背面図、（ｂ）は平面図、（ｃ）は側面図である。
【図５】本発明の一実施形態にかかるコネクタを、端子が配置された部位で切断した断面図である。
【図６】本発明の一実施形態にかかるコネクタを、ロック部材が配置された部位で切断した断面図である。
【図７】本発明の一実施形態にかかるハウジングを示す図であって、（ａ）は一方から視た斜視図、（ｂ）は他方から視た斜視図である。
【図８】本発明の一実施形態にかかるハウジングを示す図であって、（ａ）は背面図、（ｂ）は平面図、（ｃ）は側面図である。
【図９】本発明の一実施形態にかかるハウジングを、端子が配置される部位で切断した断面図である。
【図１０】本発明の一実施形態にかかるハウジングを、ロック部材が配置される部位で切断した断面図である。
【図１１】本発明の一実施形態にかかる端子を示す図であって、（ａ）は側面図、（ｂ）は正面図、（ｃ）は斜視図である。
【図１２】本発明の一実施形態にかかるロック部材を示す図であって、（ａ）は側面図、（ｂ）は正面図、（ｃ）は斜視図である。
【図１３】本発明の一実施形態にかかるコネクタにケーブルを挿入する時の動作を説明する図であって、ケーブルの挿入途中、かつ、ケーブルが端子に接触していない状態を示す断面図である。
【図１４】本発明の一実施形態にかかるコネクタにケーブルを挿入する時の動作を説明する図であって、ケーブルの挿入途中、かつ、ケーブルが端子に接触した状態を示す断面図である。
【図１５】本発明の一実施形態にかかるコネクタにケーブルを挿入する時の動作を説明する図であって、ケーブルの挿入が完了した状態における端子が配置される部位を示す断面図である。
【図１６】本発明の一実施形態にかかるコネクタにケーブルを挿入する時の動作を説明する図であって、ケーブルの挿入途中、かつ、ケーブルがロック部材に接触していない状態を示す断面図である。
【図１７】本発明の一実施形態にかかるコネクタにケーブルを挿入する時の動作を説明する図であって、ケーブルの挿入途中、かつ、ケーブルがロック部材に接触した状態を示す断面図である。
【図１８】本発明の一実施形態にかかるコネクタにケーブルを挿入する時の動作を説明する図であって、ケーブルの挿入が完了した状態におけるロック部材が配置される部位を示す断面図である。
【図１９】本発明の一実施形態にかかるハウジングに保持された端子およびロック部材と、収容空間内に導入されたケーブルの先端面とをケーブル挿抜方向に沿って視た図である。
【図２０】第１変形例にかかるコネクタを、ロック部材が配置された部位で切断した断面図である。
【図２１】第１変形例にかかるロック部材を示す図であって、（ａ）は側面図、（ｂ）は正面図、（ｃ）は斜視図である。
【図２２】第２変形例にかかるコネクタを、ロック部材が配置された部位で切断した断面図である。
【図２３】第２変形例にかかるロック部材を示す図であって、（ａ）は側面図、（ｂ）は正面図、（ｃ）は斜視図である。
【図２４】第３変形例にかかるコネクタで用いられるロック部材を示す図であって、（ａ）は第１のロック部材を示す側面図、（ｂ）は第２のロック部材を示す側面図である。
【図２５】第４変形例にかかるコネクタの使用方法の一例を模式的に示す斜視図である。
【図２６】第４変形例にかかるコネクタを、端子が配置された部位で切断した断面図である。
【図２７】第４変形例にかかるコネクタを、ロック部材が配置された部位で切断した断面図である。
【図２８】第５変形例にかかるコネクタを、端子が配置された部位で切断した断面図である。
【図２９】第５変形例にかかるコネクタを、ロック部材が配置された部位で切断した断面図である。
【発明を実施するための形態】
【００１３】
以下、本発明の実施形態について図面を参照しながら詳細に説明する。なお、以下の実施形態およびその変形例には、同様の構成要素が含まれている。よって、以下では、それら同様の構成要素には共通の符号を付与するとともに、重複する説明を省略する。
【００１４】
また、以下では、回路基板の実装面と直交する方向を上下方向（Ｚ方向）とし、回路基板にコネクタを実装した状態においてコンタクトが並設される方向を幅方向（Ｙ方向）とし、Ｚ方向およびＹ方向と直交する方向を前後方向（Ｘ方向）として説明する。
【００１５】
さらに、本実施形態では、回路基板に実装されたコネクタを回路基板の上方に位置させた状態における上方を、上下方向の上方と規定する。
【００１６】
上記のように規定することで、図１〜図２４で説明するコネクタでは、コネクタにケーブルを挿入した状態におけるケーブル厚さ方向が前後方向（Ｘ方向）となり、コネクタの長手方向が幅方向（Ｙ方向）となり、ケーブル挿抜方向が上下方向（Ｚ方向）となる。
【００１７】
また、図１〜図２４に示すコネクタについては、ケーブルにおける導体が露出する側をケーブルの前方と規定して説明する。したがって、コネクタにケーブルを挿入した状態において露出する導体と対向する側がコネクタの前側となる。
【００１８】
本実施形態にかかるコネクタ１０は、図１に示すように、ＦＰＣやＦＦＣ等のケーブル（被接続部材）２０が挿入される絶縁性のハウジング３０を備えている。なお、ケーブル２０は、表面（前面：一面）２０ａおよび裏面（後面：他面）２０ｂを持つシート状（平板状）をしている。さらに、ケーブル２０は可撓性を有しており、ケーブル２０をケーブル厚さ方向に曲げる（湾曲させる）ことができるようになっている（図１参照）。
【００１９】
また、コネクタ１０は、ハウジング３０に保持され、ケーブル２０に導通接続されるコンタクト（端子）４０と、ハウジング３０に保持され、挿入されたケーブル２０の保持力を高めるためのロック金具（ロック部材）５０と、を備えている。
【００２０】
このコネクタ１０は、図１に示すように、回路基板（被実装部材）６０に実装されており、ハウジング３０内にケーブル２０を挿入してコンタクト４０に導通接続させることで、ケーブル２０と回路基板６０とを電気的に接続させるものである。
【００２１】
本実施形態では、実装材料７０として半田およびフラックスが用いられており、コンタクト４０に形成された実装片（実装部）４１３およびロック金具５０に形成された取付片（取付部）５１２を、回路基板６０の実装面６０ａに半田付けすることで、コネクタ１０を回路基板６０に実装している（図５および図６参照）。このとき、コネクタ１０は、実装面６０ａを水平にしたときにケーブル挿抜方向が上下方向となるようにした状態で、回路基板６０に実装されている。このように、本実施形態では、コネクタ１０は、ケーブル挿抜方向が実装面６０ａと交差する方向となるようにした状態で回路基板６０に実装されている。
【００２２】
また、本実施形態で示すコネクタ１０は、いわゆるＮＯＮ−ＺＩＦ（Non-Zero Insertion Force）タイプのコネクタであり、ケーブル２０自体をケーブル挿抜方向（Ｚ方向）に押し込んだり引っ張ったりすることで、ケーブル２０の挿抜が行えるようになっている。
【００２３】
なお、本実施形態では、ケーブル２０自体をケーブル挿抜方向（Ｚ方向）に押し込んだり引っ張ったりすることで、ロック金具（ロック部材）５０によるケーブル２０のロックやロック解除も行えるようになっている。
【００２４】
シート状のケーブル２０は、図２に示すように、本体部２０ｃと、本体部２０ｃに連設されてハウジング３０内に挿入される挿入端部２０ｄと、を備えており、この挿入端部２０ｄには、複数の導体２２ａが形成されている。複数の導体２２ａは、幅方向（Ｙ方向）に所定のピッチで並ぶように形成されており、ケーブル厚さ方向（前後方向；Ｘ方向）の一方側（前側）に露出している。
【００２５】
また、ケーブル２０は多層構造をしており、導体膜で形成された導体層２２と、絶縁体膜で形成されて導体層２２を支持する支持層２１と、を備えている（図１３参照）。なお、導体層２２は、複数のコンタクト４０に対応する複数の配線パターンとなっている。
【００２６】
このような構造は、例えば、支持層２１上に複数の導体膜を印刷することで導体層２２を形成し、この導体層２２上を他の支持層２１で覆うことで形成することができる。このとき、導電層２２の先端が覆われないように他の支持層２１を設けるようにすれば、導電層２２の先端が一側（前後方向の前方）に露出したケーブル２０が形成される。
【００２７】
こうすることで、導体層２２の両側を支持層２１，２１で挟んだ３層構造の本体部２０ｃと、本体部２０ｃに連設され、支持層２１上に導体層２２が形成された２層構造の挿入端部２０ｄと、を備えるケーブル２０が得られる。このようにして得られたケーブル２０では、挿入端部２０ｄにおいて前後方向（Ｘ方向）の前方に露出する導体層２２が、幅方向（Ｙ方向）に所定のピッチで並ぶ導体２２ａとなっている（図２（ａ）参照）。
【００２８】
なお、本体部２０ｃおよび挿入端部２０ｄの形成方法は上記の方法に限られるものではなく、様々な方法で形成することができる。
【００２９】
さらに、本実施形態では、ケーブル２０が補強板２３を備えている。この補強板２３は、ガラスエポキシ樹脂やステンレス等を用いて形成されており、接着剤等により挿入端部２０ｄの後側（ケーブル厚さ方向の他方側）に取り付けられている。具体的には、補強板２３は、挿入端部２０ｄの略全体および本体部２０ｃの連結端部（挿入端部２０ｄとの連結部分）の略全体と重なり合うようにした状態で取り付けられている。
【００３０】
ケーブル２０の端部にこのような補強板２３を設けるようにすれば、導体２２ａの全体が補強板２３により支持されるため、挿入端部２０ｄが上下方向（Ｚ方向）に撓んでしまうのが抑制され、導体２２ａが上下方向（Ｚ方向）に折れ曲がってしまうのを抑制することができる。また、挿入端部２０ｄが幅方向（Ｙ方向）に撓んでしまうのも抑制されることとなる。このように、挿入端部２０ｄが撓んでしまうのを抑制するようにすれば、ケーブル２０をハウジング３０内によりスムーズに挿入することができるようになる。
【００３１】
さらに、本実施形態では、ケーブル２０の補強板２３が設けられた部位の全体がハウジング３０内に挿入されるようにしている。すなわち、ケーブル２０は、補強板２３が設けられた部位が挿入領域２０１となっている。
【００３２】
一方、ハウジング３０には、図３および図４に示すように、導電性を有する複数のコンタクト４０が並設されている。各コンタクト４０は、ケーブル２０の導体２２ａに導通接続される接触部４３１を有している。本実施形態では、各コンタクト４０は、それぞれの接触部４３１が幅方向Ｙに所定のピッチ（導体２２１のピッチと略同ピッチ）で並設されるように、ハウジング３０に保持されている。そして、ケーブル２０をハウジング３０内に挿入した際に、各コンタクト４０の接触部４３１が、対応する導体２２ａとそれぞれ接触するようにしている。
【００３３】
また、本実施形態では、ケーブル２０には、外部に露出する導体２２ａがケーブル厚さ方向（前後方向；Ｘ方向）の一方側（前側）のみに形成されており、ケーブル厚さ方向の一方側のみでケーブル２０とコンタクト４０とが導通接続されるようにしている。このように、本実施形態では、複数の導体２２ａは、少なくともケーブル厚さ方向の一方側に形成されている。
【００３４】
なお、本実施形態では、導体２２ａに導通接続される複数のコンタクト４０をハウジング３０の幅方向（Ｙ方向）に略一直線上に並ぶように配置することで、信号伝送用のコンタクトとして用いられる端子群４０Ｇを構成している（図３および図４参照）。
【００３５】
また、ケーブル２０の挿入領域２０１における幅方向（Ｙ方向）の両端には、図２（ａ）に示すように、幅方向（Ｙ方向）の外側に開口した切り欠き状の保持孔２４が、ケーブル厚さ方向（Ｘ方向）に貫通するように形成されている。
【００３６】
この保持孔２４は、ケーブル２０をハウジング３０に挿入した状態で、ロック金具５０の後述するロック部５２１，５３１が係合される被ロック部に相当するものである。したがって、ロック金具５０は、ケーブル２０をハウジング３０に挿入した際には、ロック部５２１，５３１が保持孔２４に係合されるようにした状態でハウジング３０に保持されている。
【００３７】
こうすることで、ケーブル２０をハウジング３０に挿入した際には、ケーブル２０の保持孔２４にロック金具５０のロック部５２１，５３１が係止（係合）されて、ハウジング３０に挿入されたケーブル２０の抜け止めがなされるようにしている（図１８参照）。
【００３８】
なお、本実施形態では、保持孔２４は、挿入領域２０１の幅方向（Ｙ方向）の一方側および他方側に１つずつ形成されている。さらに、各保持孔２４は、挿入領域２０１における複数の導体２２ａが形成された領域よりも幅方向（Ｙ方向）の外側に形成されている。そのため、各保持孔２４と係合するロック金具５０は、それぞれ端子群４０Ｇよりも幅方向（Ｙ方向）の外側に配置されている。
【００３９】
さらに、本実施形態では、２つ（複数）のロック金具５０が１つの保持孔２４に係合されるようにしている。具体的には、ハウジング３０における端子群４０Ｇよりも幅方向（Ｙ方向）の一方側に位置する部位に、２つのロック金具５０，５０が幅方向（Ｙ方向）に並ぶように保持されている。また、ハウジング３０における端子群４０Ｇよりも幅方向（Ｙ方向）の他方側に位置する部位にも、２つのロック金具５０，５０が幅方向（Ｙ方向）に並ぶように保持されている。さらに、本実施形態では、４つのロック金具５０と端子群４０Ｇを構成する複数のコンタクト４０とが略一直線上に並ぶように配置されている。
【００４０】
ハウジング３０は、合成樹脂等の絶縁材料により形成されており、図７および図８に示すように、幅方向に細長い略直方体状をしている。このハウジング３０の前後方向（Ｘ方向：ケーブル厚さ方向）の略中間部には、ケーブル挿入開口３００ａから挿入されたケーブル２０の先端（挿入領域２０１）を収容する袋状の収容空間３００が形成されている（図９および図１０参照）。
【００４１】
具体的には、ハウジング３０は、図８（ｂ）に示すように、前後方向の前方に配置され、幅方向および上下方向に延在する前壁（第１の壁部）３１０と、前後方向の後方に前壁３１０と対向するように配置され、幅方向および上下方向に延在する後壁（第２の壁部）３２０と、を備えている。
【００４２】
また、ハウジング３０は、前壁３１０および後壁３２０の幅方向の端部に連設され、前後方向および上下方向に延在するとともに幅方向に対向する一対の連結壁（第３の壁部）３３０，３３０を備えている。すなわち、前壁３１０の幅方向の一端と後壁３２０の幅方向の一端とが、一対の連結壁３３０，３３０のうちの一方の連結壁３３０により連結されており、前壁３１０の幅方向の他端と後壁３２０の幅方向の他端とが、他方の連結壁３３０により連結されている。
【００４３】
さらに、ハウジング３０は、前壁３１０、後壁３２０および一対の連結壁３３０，３３０の下端に連設され、前後方向および幅方向に延在する底壁（第４の壁部）３４０を備えており、全体として上方に開口した有底の四角筒状に形成されている。そして、ハウジング３０の上方への開口部が収容空間３００のケーブル挿入開口３００ａとなっており、このケーブル挿入開口３００ａは、幅方向（Ｙ方向）に細長い扁平な矩形状をしている。
【００４４】
このように、本実施形態では、ハウジング３０の内部には、前壁３１０の後面（第１の内面）３１１と、後壁３２０の前面（第２の内面）３２１と、一対の連結壁３３０，３３０の側面（第３の内面）３３１，３３１と、底壁３４０の上面（第４の内面）３４１と、で画成された収容空間３００が形成されている。
【００４５】
なお、ハウジング３０は、前壁３１０と後壁３２０とで収容空間３００の前後が画成されていればよく、幅方向Ｙの両端が、ハウジング３０とは別部材で形成された部材（例えば、金属板や樹脂板等）によって画成されるようにしてもよい。
【００４６】
また、本実施形態では、前壁３１０の後面３１１の上部が、上方かつ前方に傾斜する傾斜面３１１ａとなっており、後壁３２０の前面３２１の上部が、上方かつ後方に傾斜する傾斜面３２１ａとなっている。さらに、一対の連結壁３３０，３３０の側面３３１，３３１の上部が、上方かつ外側に傾斜する傾斜面３３１ａ，３３１ａとなっている。すなわち、一対の連結壁３３０，３３０の側面３３１，３３１の上部が、上方に向かうにつれて互いに離れるように傾斜する傾斜面３３１ａ，３３１ａとなっている。そして、一対の傾斜面３３１ａ，３３１ａは、それぞれ傾斜面３１１ａおよび傾斜面３２１ａに連設されている。
【００４７】
このように、本実施形態では、ハウジング３０の上部の内側に、下方かつ中央に向かうテーパ部３０ａを形成している（図８（ｂ）参照）。そして、下方かつ中央に向かうテーパ部３０ａをハウジング３０の上部の内側に形成することで、収容空間３００の開口側端部における開口面積（幅方向の開口長さおよび前後方向の開口長さ）が、下方（奥側）に向かうにつれて小さくなるようにしている。
【００４８】
こうすることで、ハウジング３０に、ケーブル２０を収容部３００の奥側へと誘い込むための誘い込み機能を持たせている。すなわち、前後左右に若干ずれた状態でケーブル２０をハウジング３０内に挿入したとしても、ケーブル２０の先端（挿入領域２０１）がハウジング３０のテーパ部３０ａにガイドされて、ケーブル２０を収容空間３００の奥側までよりスムーズに挿入できるようにしている。
【００４９】
さらに、本実施形態では、後壁３２０の開口側（上側：ケーブル挿入開口３００ａが形成された側）における幅方向の中央に、上方に開口する切り欠き部３２２が前後方向（Ｘ方向）に貫通するように形成されている（図７および図８参照）。すなわち、後壁３２０は、上部における幅方向の中央が下方（ケーブル挿入開口３００ａが形成された側とは反対側）に向けて凹んだ形状をしており、ハウジング３０を後方から視た際に、前壁３１０の後面３１１の上部が視認できるようになっている。
【００５０】
具体的には、切り欠き部３２２は、図８（ａ）に示すように、一対の連結壁３３０，３３０の傾斜面３３１ａ，３３１ａにそれぞれ連設されるように形成された一対の外側切り欠き部３２２ａ，３２２ａを有している。また、切り欠き部３２２は、一対の外側切り欠き部３２２ａ，３２２ａに連設され、一対の外側切り欠き部３２２ａ，３２２ａよりも下方に切り欠かれた形状の内側切り欠き部３２２ｂを有している。この内側切り欠き部３２２ｂは、幅方向の両端が、それぞれ、複数のコンタクト４０をハウジング３０に保持した際に形成される端子群４０Ｇの幅方向の端縁よりも若干外側となるように形成されている（図４（ａ）参照）。すなわち、内側切り欠き部３２２ｂは、ハウジング３０を後方から視た際に、幅方向の位置が端子群４０Ｇと略一致するように形成されている。なお、本実施形態では、ロック金具５０は、一対の外側切り欠き部３２２ａ，３２２ａが形成された部位でハウジング３０に保持されている。
【００５１】
このように、本実施形態では、後壁３２０の上部に切り欠き部３２２を設けることで、ケーブル２０の収容空間３００内への挿入状態を確認できるようにしている。
【００５２】
具体的には、内側切り欠き部３２２ｂが形成された部位の後壁３２０の高さ位置を、ケーブル２０のハウジング３０への挿入完了状態（保持孔２４にロック部５２１，５３１が係止されている状態）における補強板２３の上端（本体部２０ｃ側の端縁）の高さ位置よりも若干高くなるようにしている（図１５参照）。こうすることで、ハウジング３０を後方から視た際に、補強板２３が後壁３２０の上方に露出しているか否かを目視することで、ケーブル２０のハウジング３０への挿入が完了しているか否かを確認できるようにしている。
【００５３】
また、本実施形態では、底壁３４０に、上下方向に貫通するコンタクト挿通孔３４２が幅方向に並ぶように複数形成されており、コンタクト４０は、このコンタクト挿通孔３４２から収容空間３００内に挿入されてハウジング３０に固定保持されるようになっている。すなわち、各コンタクト４０は、下方（ハウジング３０のケーブル挿入開口３００ａが形成された側とは反対側）からハウジング３０に挿入することでハウジング３０に固定保持されるようになっている（図５参照）。
【００５４】
本実施形態では、コンタクト挿通孔３４２を収容空間３００に連通させることで、ハウジング３０に、コンタクト４０を収容するコンタクト収容空間３６０が上下方向（Ｚ方向）に貫通するように複数設けられるようにしている。さらに、それぞれのコンタクト収容空間３６０が、前後方向および上下方向に延在する隔壁３５０によって幅方向（Ｙ方向）の両側が仕切られるようにしている（図５参照）。すなわち、本実施形態では、コンタクト収容空間３６０は、前壁３１０と後壁３２０と隔壁３５０とで、上下方向に貫通するように形成されている。そして、それぞれのコンタクト収容空間３６０に１つのコンタクト４０を下方から挿入するようになっている。このように、本実施形態では、ハウジング３０には、前壁３１０の後面３１１と、後壁３２０の前面３２１と、隣り合う隔壁３５０，３５０の互いに対向する側面３５０ａ，３５０ａとで上下を除く四方が画成された複数のコンタクト収容空間３６０が幅方向に並ぶように形成されている。
【００５５】
なお、本実施形態では、隔壁３５０は、図９に示すように、前壁３１０の後面３１１から後壁３２０側に向けて延設されている。このとき、隔壁３５０の後面３５１と後壁３２０の前面３２１との間に隙間が形成されるようにしている。こうすることで、シート状のケーブル２０の収容空間３００への挿入が、隔壁３５０によって邪魔されないようにしている。
【００５６】
さらに、コンタクト収容空間３６０を画成する隔壁３５０は、幅方向（Ｙ方向：隔壁３５０の厚さ方向）に沿って視た状態で、後部が多段状となるように形成されている。
【００５７】
具体的には、隔壁３５０の後面３５１が、上部（開口側）に位置し、上方かつ前方に傾斜する開口側傾斜面３５１ａと、開口側傾斜面３５１ａの下端（奥側の端縁）に連設され、上下方向に延在する開口側鉛直面３５１ｂと、開口側鉛直面３５１ｂの下端（奥側の端縁）に連設され、上方かつ前方に傾斜する奥側傾斜面３５１ｃと、奥側傾斜面３５１ｃの下端（奥側の端縁）に連設され、上下方向に延在する奥側鉛直面３５１ｄと、を有する屈曲面となっている。なお、本実施形態では、開口側傾斜面３５１ａは、前壁３１０の傾斜面３１１ａを含む平面にほぼ沿うように形成されており、幅方向に沿って視た際に、開口側傾斜面３５１ａと傾斜面３１１ａとがほぼ重なり合うようにしている。
【００５８】
このように、隔壁３５０の後部を多段状とすることで、隔壁３５０の後面３５１と後壁３２０の前面３２１との間の隙間が、開口側（上側）から奥側（下側）に向けて段階的に狭くなるようにしている。そして、奥側鉛直面３５１ｄと後壁３２０の前面３２１との間の隙間が、ケーブル２０の厚さ（挿入領域２０１の最大厚さ）よりも若干大きくなるようにしている（図１３参照）。
【００５９】
さらに、本実施形態では、前後方向に沿って視た際に、各保持孔２４に対応する部位に、上下方向に貫通するロック金具挿通孔３４３が幅方向に並ぶように２つずつ形成されている。そして、ロック金具５０も、ロック金具挿通孔３４３から収容空間３００内に挿入されてハウジング３０に固定保持されるようになっている。すなわち、各ロック金具５０も、下方（ハウジング３０のケーブル挿入開口３００ａが形成された側とは反対側）からハウジング３０に挿入することでハウジング３０に固定保持されるようになっている（図６参照）。
【００６０】
本実施形態では、ロック金具挿通孔３４３を収容空間３００に連通させることで、ハウジング３０に、ロック金具５０を収容するロック金具収容空間３７０が上下方向（Ｚ方向）に貫通するように複数設けられるようにしている。さらに、それぞれのロック金具収容空間３７０が、前後方向および上下方向に延在する隔壁３５０Ａによって幅方向Ｙの両側が仕切られるようにしている（図６参照）。すなわち、ロック金具収容空間３７０は、前壁３１０と後壁３２０と隔壁３５０Ａとで、上下方向に貫通するように形成されている。そして、それぞれのロック金具収容空間３７０に１つのロック金具５０を下方から挿入するようになっている。このように、本実施形態では、ハウジング３０には、前壁３１０の後面３１１と、後壁３２０の前面３２１と、隣り合う隔壁３５０Ａ，３５０Ａの互いに対向する側面３５０ａＡ，３５０ａＡとで上下を除く四方が画成されたロック金具収容空間３７０が、複数のコンタクト収容空間３６０が形成される領域よりも幅方向の外側に２つずつ形成されている。
【００６１】
なお、本実施形態では、隔壁３５０Ａも、前壁３１０の後面３１１から後壁３２０側に向けて延設されており、隔壁３５０Ａの後面３５１Ａと後壁３２０の前面３２１との間に隙間が形成されるようにしている（図１０参照）。こうすることで、シート状のケーブル２０の収容空間３００への挿入が、隔壁３５０Ａによって邪魔されないようにしている。
【００６２】
さらに、本実施形態では、ロック金具収容空間３７０が形成された部位における前壁３１０の後面３１１は、幅方向に沿って視た際に、傾斜部が隔壁３５０の開口側傾斜面３５１ａとほぼ重なり合うようになっており、鉛直部が隔壁３５０の開口側鉛直面３５１ｂとほぼ重なり合うようになっている。
【００６３】
そして、隔壁３５０Ａは、前壁３１０の後面３１１における鉛直部の奥側に形成されており、幅方向（Ｙ方向：隔壁３５０の厚さ方向）に沿って視た状態で、略直角台形状をしている。具体的には、隔壁３５０Ａの後面３５１Ａが、上部（開口側）に位置し、上方かつ前方に傾斜する傾斜面３５１ａＡと、傾斜面３５１ａＡの下端（奥側の端縁）に連設され、上下方向に延在する鉛直面３５１ｂＡと、を有する屈曲面となっている。
【００６４】
そして、幅方向に沿って視た際に、隔壁３５０Ａの傾斜面３５１ａＡが、隔壁３５０の奥側傾斜面３５１ｃとほぼ重なり合うようになっており、鉛直面３５１ｂＡが、奥側鉛直面３５１ｄとほぼ重なり合うようになっている。したがって、鉛直面３５１ｂＡと後壁３２０の前面３２１との間にも、ケーブル２０の厚さ（挿入領域２０１の最大厚さ）よりも若干大きくなる隙間が形成されている。
【００６５】
こうすることで、ケーブル２０をハウジング３０内に挿入した際には、ケーブル２０の挿入領域２０１は、まず初めに、隔壁３５０の上部（開口側傾斜面３５１ａ、開口側鉛直面３５１ｂおよび奥側傾斜面３５１ｃ）や隔壁３５０Ａの上部（傾斜面３５１ａＡ）により前方が画成された空間に導入されることとなる。その後、鉛直面３５１ｂＡおよび奥側鉛直面３５１ｄにより前方が画成されたスリット状の空間に配置されることとなる。
【００６６】
このように、本実施形態では、ケーブル２０の挿入領域２０１が初めに導入されるケーブル導入空間３０１と、ケーブル導入空間３０１に連設されてケーブル２０の挿入領域２０１を受け入れるケーブル受入空間３０２と、を有する収容空間３００をハウジング３０内に形成している（図９および図１０参照）。
【００６７】
また、後壁３２０には、図９に示すように、下側が前方に突出する段差部３２３が形成されている。具体的には、後壁３２０の前面３２１の下端に、水平面３２３ａが前方に向けて延在するように連設されるようにするとともに、水平面３２３ａの前端に、鉛直面３２３ｂが後方に向けて延在するように連設することで、段差部３２３を形成している。そして、上方に面する水平面３２３ａによって、ケーブル２０の下方（ケーブル挿抜方向の一方側：ケーブル２０を挿入させる際にケーブル２０が移動する方向）への移動が規制されるようにしている（図１５参照）。
【００６８】
コンタクト４０は、上述したように、ハウジング３０の幅方向（Ｙ方向）に複数並設されている。各コンタクト４０は、図１１に示すように、１枚の帯板状の金属部材を板厚方向に曲げた形状をしており、側面視で略Ｕ字状をしている。このようなコンタクト４０は、例えば、帯板状の金属部材に曲げ加工を施すことで形成することができる。
【００６９】
本実施形態では、コンタクト４０は、前壁３１０の近傍で上下方向（Ｚ方向）の上方に延在する鉛直片４１０と、鉛直片４１０の上端に連設されて略半円弧状に湾曲する湾曲部４２０と、湾曲部４２０の下端に連設され、上下方向の下方に延在するばね片４３０と、を備えている。すなわち、鉛直片４１０およびばね片４３０は、それぞれの上端同士が湾曲部４３０によって連結されており、湾曲部４３０を撓ませることで、ばね片４３０が鉛直片４１０に対して弾性的に相対移動できるようにしている。
【００７０】
また、本実施形態では、鉛直片４１０の下部には、上部よりも幅方向（Ｙ方向）に幅広となる幅広部４１１が形成されており、この幅広部４１１には、幅方向の外側に突出する圧入突起４１２が形成されている。そして、コンタクト４０をコンタクト収容空間３６０内に挿入した際に、圧入突起４１２が隔壁３５０の側面３５０ａに食い込むようにしている。すなわち、コンタクト４０が圧入突起４１２によってハウジング３０に圧入されるようにしている。このように、本実施形態では、コンタクト４０がハウジング３０に圧入保持されるようにしている。
【００７１】
また、前壁３１０のコンタクト収容空間３６０が形成された部位における後面３１１は、コンタクト収容空間３６０に収容されたコンタクト４０の幅広部４１１（鉛直片４１０の下部）が接触する奥側鉛直面３１１ｂと、奥側鉛直面３１１ｂの上端から前後方向（Ｘ方向）の前方に延設される水平面３１１ｃと、水平面３１１ｃの前端に連設され、上方かつ前方に傾斜する傾斜面３１１ｄと、傾斜面３１１ｄの上端に連設されてケーブル挿入開口３００ａまで延在する開口側鉛直面３１１ｅと、を有する屈曲面となっている（図５および図９参照）。
【００７２】
このように、前壁３１０のコンタクト収容空間３６０が形成された部位における後面３１１を屈曲させることで、コンタクト４０をコンタクト収容空間３６０に収容した状態で、鉛直片４１０の上部が後面３１１に隙間を介して対向するようにしている。すなわち、本実施形態では、コンタクト４０を収容した状態で、鉛直片４１０が奥側鉛直面３１１ｂの上端との接触部位を基点として前方に弾性変形できるように、コンタクト収容空間３６０を形成している。
【００７３】
また、鉛直片４１０の下端には、実装材料（半田およびフラックス）７０によって回路基板（被実装部材）６０に実装される実装片（実装部）４１３が前後方向（Ｘ方向）の前方に延設されている。この実装片４１３は、コンタクト４０のコンタクト収容空間３６０への挿入時におけるコンタクト４０のハウジング３０に対する最大挿入量を規制するストッパとしても機能している。すなわち、コンタクト４０のコンタクト収容空間３６０への挿入時には、実装片４１３の上面が底壁３４０の下面に当接することで、コンタクト４０の上方への移動が規制されるようにしている。
【００７４】
また、実装片４１３は、前後方向に延在しており、コンタクト４０をコンタクト収容空間３６０に収容した状態で、先端が前壁３１０の前方に突出するように形成されている。そして、実装片４１３の先端（ハウジング３０から突出した部分）を実装材料（半田およびフラックス）７０によって半田付けすることで、コネクタ１０が回路基板６０に実装されるようにしている（図５参照）。こうすることで、実装片（実装部）４１３を回路基板（被実装部材）６０に実装した際に、ケーブル挿抜方向（上下方向：Ｚ方向）が回路基板（被実装部材）６０の実装面６０ａと交差する方向となるようにしている。
【００７５】
一方、ばね片４３０の途中には、後方に向けて略半円弧状に突出する接触部４３１が形成されている。この接触部４３１は、例えば、ばね片４３０の一部を板厚方向に湾曲させることで形成することができる。そして、略半円弧状に突出する接触部４３１を導体２２ａに接触させることで、ケーブル２０とコンタクト４０とを導通接続させている。なお、本実施形態では、接触部４３１の幅方向（Ｙ方向）の両端がプレス加工等により押しつぶされている。こうすることで、幅方向（Ｙ方向）の中央部に導体２２ａへの押圧力を集中させて、接触部４３１の導体２２ａへの押圧力を向上させている。
【００７６】
また、ばね片４３０における接触部４３１の下方には、接触部４３１の下端に連設されて上下方向（Ｚ方向）に延在する鉛直片４３２と、鉛直片４３２の下端に連設されて、前後方向（Ｘ方向）の後方に屈曲した屈曲部４３３と、屈曲部４３３の下端に連設されて上下方向（Ｚ方向）に延在する位置決め片４３４と、が形成されている。
【００７７】
そして、コンタクト４０をコンタクト収容空間３６０に収容した際に、位置決め片４３４が後壁３２０に形成された段差部３２３の鉛直面３２３ｂに前方から接触するようにしている（図５参照）。このとき、位置決め片４３４は鉛直面３２３ｂに接離可能に接触している。
【００７８】
また、本実施形態では、コンタクト４０は、ばね片４３０が自由状態よりも鉛直片４１０側に位置するように弾性変形させた状態で、コンタクト収容空間３６０に収容されるようにしている。すなわち、位置決め片４３４を鉛直面３２３ｂに接触させた状態で、位置決め片４３４が鉛直面３２３ｂを押圧する（後側に付勢される）ようにしている。
【００７９】
このように、本実施形態では、コンタクト４０は、鉛直片４１０が奥側鉛直面３１１ｂの上端との接触部位を基点として前方に弾性変形できるようにするとともに、ばね片４３０を鉛直片４１０に対して相対変位させることができるようにした状態で、コンタクト収容空間３６０に収容されている。すなわち、コンタクト収容空間３６０にコンタクト４０を収容した状態で、鉛直片４１０における奥側鉛直面３１１ｂの上端との接触部位（幅広部４１１との境界部分）から位置決め片４３４までの略Ｕ字状の部位が、ばね部（弾性変形可能な部位）として機能するようにしている（図１４および図１５参照）。
【００８０】
また、本実施形態では、コンタクト４０は、互いに隣り合う隔壁３５０，３５０の間に形成される溝部に大半が収容された状態でハウジング３０に保持されており、接触部４３１の先端（後端）が、隔壁３５０の後面３５１よりも後側に位置し、ケーブル受入空間３０２（収容空間３００）内に露出するようにしている（図１３参照）。すなわち、コンタクト４０がハウジング３０に保持された状態（コンタクト４０をコンタクト収容空間３６０に収容した状態）で、接触部４３１の少なくとも一部がケーブル受入空間３０２（収容空間３００）内に存在する（配置される）ようにしている。
【００８１】
また、ケーブル２０がケーブル受入空間３０２（収容空間３００）に挿入されていない状態では、接触部４３１の先端と、後壁３２０の前面３２１（接触部４３１とケーブル厚さ方向で対向する面）との間に第１のギャップＧ１が形成されるようにしている。この第１のギャップＧ１は、ケーブル２０の厚さ（挿入領域２０１における導体２２ａが露出する部分の厚さ）Ｔ１よりも小さくなるように形成されている（図１３参照）。
【００８２】
このように、本実施形態では、コンタクト４０をハウジング３０に保持するとともに、収容空間３００にケーブル２０が挿入されていない状態で、ケーブル厚さ方向に広がる第１のギャップＧ１が形成されるようにしている。この第１のギャップＧ１は、ケーブル受入空間３０２（収容空間３００）における接触部４３１が配置された部位に形成される間隔であり、接触部４３１よりもケーブル２０が挿入される側に形成されるケーブル厚さ方向の間隔のことである。そして、この間隔（第１のギャップＧ１）がケーブル２０の厚さＴ１よりも小さくなるようにしている。
【００８３】
また、本実施形態では、コンタクト４０は、ケーブル挿抜方向に力が加えられたケーブル２０によって第１のギャップＧ１が開く方向に弾性変形できるようにしている。
【００８４】
具体的には、ケーブル２０をケーブル挿入開口３００ａから収容空間３００に挿入する際にケーブル２０の先端（挿入領域２０１）に加えられる下方（ケーブル挿抜方向の一方側）への力によって、接触部４３１が前方に移動するようにコンタクト４０を弾性変形させている。すなわち、下方（ケーブル挿抜方向の一方側）に力が加えられたケーブル２０を接触部４３１に当接させることでコンタクト４０を弾性変形させて、接触部４３１が前方に移動するようにしている。こうすることで、第１のギャップＧ１（接触部４３１の先端と後壁３２０の前面３２１との間の間隔）が大きくなるようにしている。
【００８５】
このように、本実施形態では、コンタクト４０をハウジング３０に保持した状態でケーブル２０を収容空間３００内に挿入した際に、接触部４３１がケーブル２０と当接するように、コンタクト４０を構成している。そして、ケーブル挿抜方向（上下方向：Ｚ方向）に力が加えられたケーブル２０に接触部４３１が当接することで、コンタクト４０が弾性変形するようにしている。
【００８６】
なお、本実施形態では、ケーブル２０を収容空間３００に挿入する際には、ケーブル２０が接触部４３１の上面（上方かつ後方に凸となる円弧状の湾曲面）４３１ａに最初に当接するようにしている。すなわち、湾曲部４２０のばね片４３０との連結部分よりも後側の位置でケーブル２０がコンタクト４０に当接するようにしている。このように、本実施形態では、コンタクト４０は、湾曲部４２０の後端と後壁３２０の前面３２１との間の前後方向の間隔がケーブル２０の厚さＴ１よりも大きくなるようにした状態で、コンタクト収容空間３６０に収容されている。こうすることで、ケーブル２０を収容空間３００に導入した際には、接触部４３１の上面４３１ａがケーブル２０の先端面２０ｅと対向することとなって、ケーブル２０の先端が接触部４３１の上面４３１ａに当接することとなる。
【００８７】
なお、コンタクト４０は、帯板状の金属部材に曲げ加工を施すことで上記の形状となるようにする必要はなく、例えば、金型等を用いて上記の形状をしたコンタクト４０を製造することも可能である。また、コンタクト４０を上記の形状とする必要もなく、コンタクト４０の形状は様々な形状とすることが可能である。また、打抜き加工やプレス加工等によってコンタクト４０を形成することも可能である。
【００８８】
ところで、本実施形態のように、いわゆるＮＯＮ−ＺＩＦ（Non-Zero Insertion Force）タイプのコネクタ１０とした場合、ケーブル２０のハウジング３０への保持をコンタクト４０の弾性復元力だけで行うと、ケーブル保持力を高めることができず、ケーブル２０がハウジング３０から簡単に抜けてしまうおそれがある。
【００８９】
そこで、本実施形態では、ケーブル保持力を高めることができるようにした。
【００９０】
このとき、いわゆるＺＩＦ（Zero Insertion Force）タイプのコネクタのように、アクチュエータ等の可動部材を用いてケーブル保持力を高めるようにすると、ケーブルの挿抜時にアクチュエータ等の可動部材を操作する必要があるため、ケーブルの挿抜作業性が悪化してしまう。
【００９１】
そのため、本実施形態では、ケーブルの挿抜作業性が悪化してしまうのを抑制することもできるようにした。
【００９２】
具体的には、コネクタ１０が、ケーブル２０に形成された保持孔（被ロック部）２４に係合するロック部５２１，５３１を有するロック金具（ロック部材）５０を備えるようにし、このロック金具５０をハウジング３０に保持させるようにした。
【００９３】
そして、ケーブル２０自体をケーブル挿抜方向（Ｚ方向）に押し込んだり引っ張ったりすることで、ロック金具５０によるケーブル２０のロックやロック解除も行えるようにした。
【００９４】
本実施形態では、ロック金具５０は薄板状に形成されており、板厚方向を幅方向（Ｙ方向）に略一致させた状態でハウジング３０に形成されたロック金具収容空間３７０に下方から挿入されている（図６および図１２参照）。このようなロック金具５０は、例えば、薄板金属を打抜き加工することで形成することができる。
【００９５】
本実施形態では、ロック金具５０は、基部５１０を備えており、この基部５１０の上部が圧入部５１１となっている。そして、この圧入部５１１を前壁３１０の後面３１１と後壁３２０の前面３２１との間に圧入することで、ロック金具５０がハウジング３０に保持されるようにしている。このように、本実施形態では、コンタクト４０だけでなくロック金具５０もハウジング３０に圧入保持されるようにしている。このとき、圧入部５１１を含む基部５１０が、ハウジング３０に対する相対移動が規制された状態で保持されている。
【００９６】
また、基部５１０の下端には、実装材料（半田およびフラックス）７０によって回路基板（被実装部材）６０に取り付けられる取付片（実装部）５１２が前後方向（Ｘ方向）の後方に延設されている。この取付片５１２は、ロック金具５０のロック金具収容空間３７０への挿入時におけるロック金具５０のハウジング３０に対する最大挿入量を規制するストッパとして機能させることもできる。すなわち、ロック金具５０のロック金具収容空間３７０への挿入時に、取付片５１２の上面を底壁３４０の下面に当接させることで、ロック金具５０の上方への移動を規制させるようにすることができる。
【００９７】
また、取付片５１２は、ロック金具５０をロック金具収容空間３７０に収容した状態で、先端が後壁３２０の後方に突出するように形成されている。そして、取付片５１２の先端（ハウジング３０から突出した部分）が実装材料（半田およびフラックス）７０によって半田付けされている（図６参照）。
【００９８】
このように、本実施形態では、コンタクト４０の実装片４１３がハウジング３０の前方で実装材料（半田およびフラックス）７０によって半田付けされており、ロック金具５０の取付片５１２がハウジング３０の後方（実装片４１３とは、ハウジング３０を挟んでケーブル厚さ方向の反対側）で実装材料（半田およびフラックス）７０によって半田付けされている。
【００９９】
また、圧入部５１１の前部には、前壁３１０の近傍で上下方向（Ｚ方向）に延在する略棒状の前側アーム部（第１のアーム部）５２０が連設されている。一方、圧入部５１１の後部には、前側アーム部５２０と前後方向（ケーブル厚さ方向）で対向し、後壁３２０の近傍で上下方向（Ｚ方向）に延在する略棒状の後側アーム部（第２のアーム部）５３０が連設されている。そして、前側アーム部５２０および後側アーム部５３０は、それぞれ圧入部５１１に弾性変形可能に連設されており、圧入部５１１に対してＸＺ平面（前後方向および上下方向）に沿って相対移動できるようになっている。また、後側アーム部５３０は、前側アーム部５２０に対してＸＺ平面（前後方向および上下方向）に沿って相対移動できるようになっている。
【０１００】
そして、前側アーム部５２０の先端部には、後方（挿入したケーブル２０）に向かって突出したロック部５２１が形成されており、後側アーム部５３０の先端部には、前方（挿入したケーブル２０）に向かって突出したロック部５３１が形成されている。
【０１０１】
本実施形態では、ロック部５２１は、開口側傾斜面５２１ａおよび奥側傾斜面５２１ｂで画成された略山型の突起となっており、開口側傾斜面５２１ａの方が奥側傾斜面５２１ｂよりも傾斜が緩くなるようにロック部５２１を形成している。すなわち、開口側傾斜面５２１ａの方が奥側傾斜面５２１ｂよりも、幅方向および上下方向に延在する鉛直面（ＹＺ平面）とのなす角（鋭角）が小さくなるようにしている。
【０１０２】
また、ロック部５３１は、開口側傾斜面５３１ａおよび奥側傾斜面５３１ｂで画成された略山型の突起となっており、開口側傾斜面５３１ａの方が奥側傾斜面５３１ｂよりも傾斜が緩くなるようにロック部５３１を形成している。すなわち、開口側傾斜面５３１ａの方が奥側傾斜面５３１ｂよりも、幅方向および上下方向に延在する鉛直面（ＹＺ平面）とのなす角（鋭角）が小さくなるようにしている。
【０１０３】
そして、ロック部５２１およびロック部５３１は、前後方向（ケーブル厚さ方向）に対向するように形成されている。すなわち、ロック部５２１およびロック部５３１は、ロック部材５０をハウジング３０に保持した状態で、Ｙ方向（ケーブル挿抜方向およびケーブル厚さ方向と直交する方向）に沿って視た際に、Ｚ方向（ケーブル挿抜方向）において略同位置となるように形成されている。
【０１０４】
さらに、ロック部５２１およびロック部５３１は、ロック金具５０をハウジング３０に保持するとともに、ケーブル２０をハウジング３０の収容空間３００に挿入した状態（挿入完了状態）で、ケーブル２０の保持孔（非ロック部）２４と対応する位置に存在するように形成されている。すなわち、挿入完了状態において、ロック部５２１およびロック部５３１が保持孔２４に係止されるように、前側アーム部５２０および後側アーム部５３０のアーム長をそれぞれ設定している。
【０１０５】
そして、コンタクト４０およびロック部材５０をハウジング３０に保持した状態で、Ｙ方向（ケーブル挿抜方向およびケーブル厚さ方向と直交する方向）に沿って視た際に、接触部４３１およびロック部５２１，５３１がＺ方向（ケーブル挿抜方向）において略同位置となるようにしている（図６参照）。すなわち、本実施形態では、コンタクト４０およびロック部材５０をハウジング３０に保持した状態で、接触部４３１およびロック部５２１，５３１が幅方向（Ｙ方向）に略一直線上に並ぶようにしている。
【０１０６】
なお、本実施形態では、ロック金具収容空間３７０が形成された部位における後壁３２０に、前方および下方に開口する溝部３２４が形成されており、この溝部３２４内に後側アーム部５３０の大半が収容されるようにしている（図６参照）。そして、ロック部材５０をハウジング３０に保持し、ケーブル受入空間３０２（収容空間３００）にケーブル２０が挿入されていない状態では、後側アーム部５３０のロック部５３１がケーブル受入部３００内（溝部３２４の外側：ケーブル受入空間３０２内）に露出するようにしている。
【０１０７】
すなわち、ロック金具収容空間３７０が形成された部位における後壁３２０の前面３２１は、上部（開口側）に位置し、上下方向に延在する開口側鉛直面３２１ｂと、開口側鉛直面３２１ｂの下端（奥側の端縁）から後方に延設された水平面３２１ｃと、水平面３２１ｃの後端に連設され、上下方向に延在する奥側鉛直面３２１ｄと、を有する屈曲面となっている。そして、ロック金具５０をハウジング３０に保持させた状態で、ロック部５３１の先端が、開口側鉛直面３２１ｂよりも前側に位置し、ケーブル受入空間３０２（収容空間３００）内に露出するようにしている。
【０１０８】
すなわち、ロック金具５０がハウジング３０に保持された状態（ロック金具５０をロック金具収容空間３７０に収容した状態）で、ロック部５２１，５３１の少なくとも一部がケーブル受入空間３０２（収容空間３００）内に存在する（配置される）ようにしている。
【０１０９】
一方、前側アーム部５２０は、互いに隣り合う隔壁３５０Ａ，３５０Ａの間に形成される溝部に大半が収容された状態でハウジング３０に保持されており、ロック部５２１の先端が、隔壁３５０Ａの後面３５１Ａよりも後側に位置し、ケーブル受入空間３０２（収容空間３００）内に露出している。
【０１１０】
そして、ケーブル２０がケーブル受入空間３０２（収容空間３００）に挿入されていない状態では、ロック部５２１の先端（後端）と、ロック部５３１の先端（前端）との間に第２のギャップＧ２が形成されるようにしている。この第２のギャップＧ２も、ケーブル２０の厚さ（挿入領域２０１における導体２２ａが露出する部分の厚さ）Ｔ１よりも小さくなるように形成されている（図１６参照）。
【０１１１】
このように、本実施形態では、ロック金具５０をハウジング３０に保持するとともに、収容空間３００にケーブル２０が挿入されていない状態で、ケーブル厚さ方向に広がる第２のギャップＧ２が形成されるようにしている。この第２のギャップＧ２は、ケーブル受入空間３０２（収容空間３００）におけるロック部５２１，５３１が配置された部位に形成される間隔であり、ロック部５２１，５３１よりもケーブル２０が挿入される側（ロック部５２１とロック部５３１との間）に形成されるケーブル厚さ方向の間隔のことである。そして、この間隔（第２のギャップＧ２）がケーブル２０の厚さＴ１よりも小さくなるようにしている。
【０１１２】
さらに、本実施形態では、ロック金具５０をロック金具収容空間３７０に収容した状態で、前側アーム部５２０の前面と前壁３１０の後面３１１とが隙間を介して対向し、後側アーム部５３０の後面と後壁３２０の前面３２１とが隙間を介して対向するようにしている。こうすることで、前側アーム部５２０が圧入部５１１との連結側を基点として前方に弾性変形できるようにし、後側アーム部５３０が圧入部５１１との連結側を基点として後方に弾性変形できるようにしている。
【０１１３】
そして、ロック金具５０が、ケーブル挿抜方向に力が加えられたケーブル２０によって第２のギャップＧ２が開く方向に弾性変形できるようにしている。
【０１１４】
具体的には、ケーブル２０をケーブル挿入開口３００ａから収容空間３００に挿入する際にケーブル２０の先端（挿入領域２０１）に加えられる下方（ケーブル挿抜方向の一方側）への力によって、ロック部５２１が前方に移動するように前側アーム部５２０を弾性変形させるとともに、ロック部５３１が後方に移動するように後側アーム部５３０を弾性変形させるようにしている。すなわち、下方（ケーブル挿抜方向の一方側）に力が加えられたケーブル２０をロック部５２１，５３１に当接させることでロック金具５０を弾性変形させて、ロック部５２１が前方に、ロック部５３１が後方に移動するようにしている。こうすることで、第２のギャップＧ２（ロック部５２１とロック部５３１との間の間隔）が大きくなるようにしている。
【０１１５】
このように、本実施形態では、ロック金具５０をハウジング３０に保持した状態でケーブル２０を収容空間３００内に挿入した際に、ロック部５２１，５３１がケーブル２０と当接するように、ロック金具５０を構成している。そして、ケーブル挿抜方向（上下方向：Ｚ方向）に力が加えられたケーブル２０にロック部５２１，５３１が当接することで、ロック金具５０が弾性変形するようにしている。
【０１１６】
なお、本実施形態では、ケーブル２０を収容空間３００に挿入する際には、ケーブル２０がロック部５２１，５３１の開口側傾斜面５２１ａ，５３１ａに最初に当接するようにしている。すなわち、ロック金具５０は、ケーブル２０の先端（挿入領域２０１）を開口側鉛直面３２１ｂに当接させた状態で、開口側傾斜面５２１ａの上端がケーブル２０の前面２０ａよりも前方に位置するとともに、開口側傾斜面５３１ａの上端がケーブル２０の後面２０ｂよりも後方に位置するように、ロック金具収容空間３７０に収容されている。
【０１１７】
こうすることで、ケーブル２０を収容空間３００に挿入した際に、ケーブル２０の先端が開口側傾斜面５２１ａ，５３１ａに当接するようにしている。
【０１１８】
また、本実施形態では、ロック金具５０は、上方（ケーブル挿抜方向の他方側：ケーブル２０を抜去させる際にケーブル２０が移動する方向）への力が加えられたケーブル２０にロック部５２１，５３１が当接することによっても、第２のギャップＧ２が開く方向に弾性変形できるようにしている。
【０１１９】
すなわち、収容空間３００内に挿入されたケーブル２０を抜去する際には、ケーブル２０がロック部５２１，５３１の奥側傾斜面５２１ｂ，５３１ｂに当接するようにしている。そして、上方（ケーブル挿抜方向の他方側）に力が加えられたケーブル２０をロック部５２１，５３１の奥側傾斜面５２１ｂ，５３１ｂに当接させることでロック金具５０を弾性変形させて、ロック部５２１が前方に、ロック部５３１が後方に移動するようにしている。
【０１２０】
このように、本実施形態では、コンタクト４０およびロック金具５０がハウジング３０に保持された状態で、接触部４３１の少なくとも一部およびロック部５２１，５３１の少なくとも一部が収容空間３００内に存在するようにしている。
【０１２１】
そして、コンタクト４０およびロック金具５０が保持されたハウジング３０をケーブル挿抜方向に沿って視た状態で、収容空間３００内に導入されたケーブル２０を下方に移動させた場合に、接触部４３１の一部（収容空間３００内に存在する先端部）がケーブル２０の先端面２０ｅと重なり合うとともに、ロック部５２１，５３１の一部（収容空間３００内に存在する先端部）がケーブル２０の先端面２０ｅと重なり合うようにしている。
【０１２２】
こうすることで、ケーブル２０を収容空間３００内に挿入するときには、ケーブル２０が必ず接触部４３１およびロック部５２１，５３１に当接するようにしている。すなわち、コネクタ１０の構成を、コンタクト４０およびロック金具５０の両方を弾性変形させなければ、ケーブル２０を収容空間３００の奥側まで挿入することができない構成としている。
【０１２３】
本実施形態では、ケーブル２０の先端面２０ｅが収容空間３００のケーブル受入空間３０２内に導入されているがコンタクト４０およびロック金具５０には接触していない状態をケーブル挿抜方向に沿って視た際に、接触部４３１の一部およびロック部５２１，５３１の一部が先端面２０ｅと重なり合うようにしている。
【０１２４】
ケーブル受入空間３０２は、収容空間３００の奥側（下部）に形成されており、ハウジング３０の内面の下部によって画成されている。
【０１２５】
具体的には、収容空間３００は、ケーブル挿抜方向に延在するように形成されており、前壁３１０側の内面を多段状とすることで、ケーブル挿入開口３００ａ側から奥側に向けて段階的に狭く（ケーブル厚さ方向の間隔が狭く）なるように形成されている。そして、収容空間３００のうちケーブル厚さ方向の間隔が最も狭くなる奥側がケーブル受入空間３０２となっている。
【０１２６】
また、ハウジング３０をケーブル挿入開口３００ａ側からケーブル挿抜方向に沿って視た場合にケーブル受入空間３０２となる領域には、幅方向に細長い略長方形状の領域Ｒ１が含まれている（図１９参照）。この領域Ｒ１は、鉛直面３５１ｂＡと奥側鉛直面３５１ｄとを結ぶ線分により前方が画成されている。また、領域Ｒ１は、後壁３２０の前面（第２の内面）３２１により後方が画成されており、一対の連結壁３３０，３３０の側面（第３の内面）３３１，３３１により側方が画成されている。
【０１２７】
そして、領域Ｒ１は、ケーブル２０の先端面２０ｅよりも一回り大きくなっており、この領域Ｒ１が、下方に移動させたケーブル２０を受け入れることが可能なケーブル受入開口となっている。
【０１２８】
ここで、本実施形態では、コンタクト４０は、図１９に示すように、接触部４３１の先端側が領域Ｒ１に存在するようにした状態でハウジング３０に保持されている。
【０１２９】
このとき、領域Ｒ１の後方を画成する後壁３２０の前面３２１と接触部４３１の先端（後端）との間には、ケーブル厚さ方向の間隔Ｄ１が形成されることとなる。この間隔（領域Ｒ１に形成されるケーブル厚さ方向の間隔）Ｄ１は、ケーブル２０の先端面２０ｅを接触部４３１よりも奥側に移動させる際に先端面２０ｅが通過する隙間で、ケーブル２０の厚さＴ１よりも小さくなっている。本実施形態では、領域Ｒ１に形成されるケーブル厚さ方向の間隔Ｄ１が第１のギャップＧ１となっている。
【０１３０】
また、ロック金具５０も、ロック部５２１，５３１の先端側が領域Ｒ１に存在するようにした状態でハウジング３０に保持されている（図１９参照）。
【０１３１】
このとき、互いにケーブル厚さ方向で対向するロック部５２１の先端とロック部５３１の先端との間には、ケーブル厚さ方向の間隔Ｄ２が形成されることとなる。この間隔（領域Ｒ１に形成されるケーブル厚さ方向の間隔）Ｄ２は、ケーブル２０の先端面２０ｅをロック部５２１，５３１よりも奥側に移動させる際に先端面２０ｅが通過する隙間で、ケーブル２０の厚さＴ１よりも小さくなっている。本実施形態では、領域Ｒ１に形成されるケーブル厚さ方向の間隔Ｄ２が第２のギャップＧ２となっている。
【０１３２】
さらに、本実施形態では、ケーブル受入空間３０２の後方を画成する後壁３２０の前面３２１にケーブル２０の後面２０ｂを接触させた状態における先端面２０ｅをケーブル挿抜方向に沿って視たとき（図１９に示す状態のとき）に、接触部４３１の上面４３１ａが、ケーブル２０の先端面２０ｅの前辺２０ｆによって前後に分断されるようにしている。
【０１３３】
また、図１９に示す状態のときに、ロック部５２１の開口側傾斜面５２１ａが、ケーブル２０の先端面２０ｅの前辺２０ｆによって前後に分断されるとともに、ロック部５３１の開口側傾斜面５３１ａが、ケーブル２０の先端面２０ｅの後辺２０ｇによって前後に分断されるようにしている。
【０１３４】
こうすることで、ケーブル２０をケーブル受入空間３０２内に挿入させる際に、接触部４３１の上面４３１ａおよびロック部５２１，５３１の開口側傾斜面５２１ａ，５３１ａにケーブル２０が接触するようにしている。すなわち、ケーブル２０をケーブル受入空間３０２内に挿入させる際に、ケーブル２０がコンタクト４０の接触部４３１以外の部位にあたることでコンタクト４０の弾性変形が阻害されてしまうことを抑制できるようにしている。さらに、ロック金具５０のロック部５２１，５３１以外の部位にあたることでロック金具５０の弾性変形が阻害されてしまうことも抑制できるようにしている。
【０１３５】
このように、本実施形態では、ケーブル２０の先端面２０ｅをコンタクト４０およびロック金具５０の近傍に配置させた状態におけるケーブル２０の先端面２０ｅをケーブル挿抜方向に沿って視た場合に、先端側の一部のみが先端面２０ｅと重なり合うように接触部４３１およびロック部５２１，５３１を構成している。
【０１３６】
こうすれば、収容空間３００内にケーブル２０の先端面２０ｅが導入されてから挿入完了状態となるまでの間で、ケーブル２０を接触部４３１およびロック部５２１，５３１に当接させることができ、コンタクト４０およびロック金具５０をより確実に弾性変形させることができるようになる。
【０１３７】
なお、ロック金具５０は、薄板金属を打抜き加工することで上記の形状となるようにする必要はなく、例えば、金型等を用いて上記の形状をしたロック金具５０を製造することも可能である。
【０１３８】
また、ロック金具５０を上記の形状とする必要もなく、ロック金具５０の形状は様々な形状とすることが可能である。例えば、ハウジング３０の前壁３１０には、下方に開口する圧入凹部３１２が形成されており、この圧入凹部３１２に圧入される圧入突起が形成されたロック金具とすることができる。なお、本実施形態では、前壁３１０に圧入凹部３１２を設けないようにすることができる。
【０１３９】
また、帯板状の金属部材に曲げ加工を施すことやプレス加工等によってロック金具５０を形成することも可能である。
【０１４０】
次に、ケーブル挿抜時におけるコンタクト４０およびロック金具５０の動作を、図１３〜図１８に基づいて説明する。
【０１４１】
まず、ケーブル２０のケーブル受入空間３０２（収容空間３００）内への挿入途中、かつ、ケーブル２０がコンタクト４０に接触していない状態のときには、図１３に示すように、ケーブル２０の挿入領域２０１の先端は、コンタクト４０の接触部４３１とは離間した状態で配置されている。このとき、ケーブル２０の挿入領域２０１の先端（下端）は、接触部４３１の上面４３１ａと隙間を介して上下方向に対向している。
【０１４２】
また、ケーブル２０がコンタクト４０に接触していない状態のときには、図１６に示すように、ケーブル２０は、ロック金具５０にも接触していない状態となっている。すなわち、ケーブル２０の挿入領域２０１の先端は、ロック金具５０のロック部５２１，５３１とは離間した状態で配置されている。このとき、ケーブル２０の挿入領域２０１の先端は、開口側傾斜面５２１ａおよび開口側傾斜面５３１ａと隙間を介して上下方向に対向している。
【０１４３】
したがって、図１３および図１６に示す状態では、ケーブル２０は、コンタクト４０にもロック金具５０にも接触していない非接触状態となっている。
【０１４４】
そして、非接触状態のケーブル２０を収容空間３００の奥側にさらに挿入すると、ケーブル２０の先端が接触部４３１の上面４３１ａに当接することとなる。また、ケーブル２０の先端は、接触部４３１の上面４３１ａへの当接とほぼ同時に、ロック部５２１，５３１の開口側傾斜面５２１ａ，５３１ａに当接することとなる。
【０１４５】
その後、ケーブル２０の先端を、接触部４３１の上面４３１ａおよび開口側傾斜面５２１ａ，５３１ａに当接させた状態でケーブル２０を所定値以上の力で下方にさらに押し込むと、ケーブル２０の上面４３１ａとの当接位置および開口側傾斜面５２１ａ，５３１ａとの当接位置が先端側（上面４３１ａおよび開口側傾斜面５２１ａは後側、開口側傾斜面５３１ａは前側）に移動することとなる。
【０１４６】
このように、ケーブル２０の上面４３１ａとの当接位置を、先端側に移動させることで、接触部４３１が前方に移動するようにコンタクト４０が弾性変形することとなる。具体的には、鉛直片４１０が奥側鉛直面３１１ｂの上端との接触部位を基点として前方に弾性変形するとともに、湾曲部４２０が撓んで、ばね片４３０が鉛直片４１０に向けて相対変位することとなる（図１４参照）。
【０１４７】
また、ケーブル２０の開口側傾斜面５２１ａ，５３１ａとの当接位置を先端（ロック部５２１，５３１の先端）側に移動させることで、ロック部５２１の先端が前方に移動するように前側アーム部５２０が弾性変形するとともに、ロック部５３１の先端が後方に移動するように後側アーム部５３０が弾性変形することとなる。具体的には、前側アーム部５２０が圧入部５１１との連結側を基点として前方に弾性変形するとともに、後側アーム部５３０が圧入部５１１との連結側を基点として後方に弾性変形することとなる（図１７参照）。
【０１４８】
すなわち、コンタクト４０およびロック金具５０は、ケーブル２０の先端（挿入領域２０１）に加えられる下方（ケーブル挿抜方向の一方側）への力によって、第１のギャップＧ１および第２のギャップＧ２が開く方向に弾性変形することとなる。
【０１４９】
そして、ケーブル２０の上面４３１ａとの当接位置が先端まで移動すると、コンタクト４０の弾性復元力によって接触部４３１が導体２２ａを押圧することとなり、接触部４３１が導体２２ａに圧接することとなる（図１４参照）。また、ケーブル２０の開口側傾斜面５２１ａ，５３１ａとの当接位置が先端まで移動すると、前側アーム部５２０の弾性復元力によってロック部５２１の先端がケーブル２０の前面２０ａを押圧し、後側アーム部５３０の弾性復元力によってロック部５３１の先端がケーブル２０の後面２０ｂを押圧することとなる（図１７参照）。このとき、ケーブル２０の保持孔２４よりも先端側（下側）が、前側アーム部５２０のロック部５２１および後側アーム部５３０のロック部５３１によって挟持されることとなる。
【０１５０】
このように、図１４および図１７に示す状態では、ケーブル２０は、ケーブル受入空間３０２（収容空間３００）への挿入途中で、ケーブル２０に接触部４３１およびロック部５２１，５３１を圧接させた状態（挿入途中状態）となっている。そして、この挿入途中状態では、ケーブル２０を上下方向（ケーブル挿抜方向）に移動させた際には、接触部４３１が所定の接圧を持って導体２２ａ上を摺動することとなる。また、ロック部５２１の先端が所定の接圧を持ってケーブル２０の前面２０ａ上を摺動し、ロック部５３１の先端が所定の接圧を持ってケーブル２０の後面２０ｂ上を摺動することとなる。
【０１５１】
したがって、接触部４３１による押圧力およびロック部５２１およびロック部５３１による挟持力に抗してケーブル２０をさらに下方に押し込むと、接触部４３１が導体２２ａ上を摺動しながらケーブル２０がハウジング３０の下方に移動することとなる（図１５参照）。また、ロック部５２１の先端がケーブル２０の前面２０ａ上を摺動し、ロック部５３１の先端がケーブル２０の後面２０ｂ上を摺動することとなる。すなわち、ケーブル２０は、前側アーム部５２０のロック部５２１および後側アーム部５３０のロック部５３１によって挟持されながら、ハウジング３０の下方に移動することとなる。
【０１５２】
そして、ケーブル２０の先端（下端）が段差部３２３の水平面３２３ａに接触するまでケーブル２０を下方に押し込むようにすると、コンタクト４０の接触部４３１が、導体２２ａ上をさらに摺動して、導体２２ａの本体部２０ｃ側の部位を圧接することとなる（図１５参照）。
【０１５３】
一方、前側アーム部５２０のロック部５２１および後側アーム部５３０のロック部５３１は、ケーブル２０の先端（下端）が段差部３２３の水平面３２３ａに接触する前に、保持孔２４に導入されるようになっている（図１８参照）。すなわち、ケーブル２０をケーブル受入空間３０２（収容空間３００）の最奥部まで押し込む直前に、ロック金具５０のロック部５２１，５３１が保持孔２４に係合して、ケーブル２０がロック金具５０によりロックされるようになっている。
【０１５４】
この図１５および図１８に示す状態では、ケーブル２０は、ケーブル受入空間３０２（収容空間３００）への挿入が完了した状態（挿入完了状態）となっている。そして、この挿入完了状態では、ケーブル２０は、ロック金具５０によってロックされた状態で、コンタクト４０に導通接続されている。
【０１５５】
なお、挿入完了状態においては、ロック部５２１，５３１の奥側傾斜面５２１ｂ，５３１ｂが保持孔２４の内側面２４ａと対向しており、奥側傾斜面５２１ｂ，５３１ｂが保持孔２４の内側面２４ａに係止されることで、ケーブル２０の抜け止めがなされるようにしている。
【０１５６】
このように、本実施形態では、図１３〜図１５に示すように、ケーブル２０自体を下方に押し込むことで、コンタクト４０を弾性変形させ、コンタクト４０の接触部４３１をケーブル２０の導体２２ａに接触させることができるようにしている。
【０１５７】
具体的には、コンタクト４０を弾性変形させて、上下方向（ケーブル挿抜方向）に延在する導体２２ａの先端側から本体部２０ｃ側に向けてコンタクト４０の接触部４３１を摺動させることで、接触部４３１が導体２２ａの本体部２０ｃ側の部位を圧接するようにしている。
【０１５８】
また、図１６〜図１７に示すように、ケーブル２０自体を下方に押し込むことで、ロック金具５０のアーム部（前側アーム部５２０および後側アーム部５３０）を弾性変形させ、前側アーム部５２０のロック部５２１および後側アーム部５３０のロック部５３１をケーブル２０の保持孔２４に係止（係合）させることができるようにしている。
【０１５９】
具体的には、ロック部５２１がケーブル２０の先端を前面２０ａ側から乗り越えて、保持孔２４に係止（係合）されるようにしており、ロック部５３１がケーブル２０の先端を後面２０ｂ側から乗り越えて、保持孔２４に係止（係合）されるようにしている。すなわち、ロック金具５０に形成されたロック部５２１，５３１がケーブル厚さ方向の両側から保持孔（非ロック部）２４に係止（係合）されるようにしている。
【０１６０】
このとき、前側アーム部５２０は、ロック部５２１の先端が前方に移動するように弾性変形しており、後側アーム部５３０は、ロック部５３１の先端が後方に移動するように弾性変形している。すなわち、前側アーム部５２０および後側アーム部５３０は、それぞれ板厚方向と交差する方向に弾性変形させることで、ロック部５２１およびロック部５３１を保持孔２４に係止（係合）させるようにしている。
【０１６１】
なお、コンタクト４０は、板厚方向に弾性変形させることで、接触部４３１をケーブル２０の導体２２ａに圧接させる（導通接続させる）ようにしている。
【０１６２】
また、本実施形態では、上述したように、ケーブル２０の先端（下端）が段差部３２３の水平面３２３ａに接触する前に、ロック部５２１およびロック部５３１が保持孔２４内に導入されるようにしている。すなわち、ロック部５２１，５３１を保持孔２４内に導入した状態で、ケーブル２０を下方に移動させる（段差部３２３の水平面３２３ａに接触させる）ために必要な力（ケーブル挿入力）が、図１４および図１７に示す状態（挿入途中状態）のときよりも小さくなるようにしている。こうすることで、ケーブル２０がロック部５２１，５３１によってロックされるときにクリック感が得られるようにし、このクリック感によってケーブル２０のハウジング３０への挿入が完了したことを確認できるようにしている。
【０１６３】
一方、挿入完了状態のケーブル２０を上方に引っ張った場合には、ケーブル２０の先端（挿入領域２０１）に加えられる上方（ケーブル挿抜方向の他方側）への力によって、接触部４３１を導体２２ａの本体部２０ｃ側から先端側に摺動させるようにしている。
【０１６４】
さらに、ケーブル２０の先端（挿入領域２０１）に加えられる上方（ケーブル挿抜方向の他方側）への力によって、前側アーム部５２０をロック部５２１が前方に移動するように弾性変形させ、後側アーム部５３０をロック部５３１が後方に移動するように弾性変形させるようにしている。
【０１６５】
具体的には、挿入完了状態のケーブル２０を上方に引っ張った際には、ケーブル２０の保持孔２４の内側面２４ａが奥側傾斜面５２１ｂ，５３１ｂに当接するようにしている。
【０１６６】
そして、保持孔２４の内側面２４ａを奥側傾斜面５２１ｂ，５３１ｂに当接させた状態でケーブル２０を上方に所定値以上の力で引っ張った際に、ケーブル２０の奥側傾斜面５２１ｂとの当接位置を先端（ロック部５２１の先端）側に移動させて、ロック部５２１の先端が前方に移動するように前側アーム部５２０を弾性変形させるようにしている。また、ケーブル２０の奥側傾斜面５３１ｂとの当接位置を先端（ロック部５３１の先端）側に移動させて、ロック部５３１の先端が後方に移動するように後側アーム部５３０を弾性変形させるようにしている。
【０１６７】
したがって、挿入完了状態のケーブル２０を上方に引っ張った場合には、コンタクト４０およびロック金具５０が下記のように動作することとなる。
【０１６８】
まず初めに、挿入完了状態にあるケーブル２０を上方に引っ張ると、コンタクト４０の接触部４３１が導体２２ａ上をケーブル挿入時とは逆方向（本体部２０ｃ側から先端側）に摺動することとなる。そして、接触部４３１の導体２２ａ上の摺動の途中で、ロック部５２１，５３１の奥側傾斜面５２１ｂ，５３１ｂが保持孔２４の内側面２４ａに当接することとなる。
【０１６９】
その後、ロック部５２１，５３１の奥側傾斜面５２１ｂ，５３１ｂを保持孔２４の内側面２４ａに当接させた状態でケーブル２０を所定値以上の力で上方にさらに引っ張ると、内側面２４ａの奥側傾斜面５２１ｂ，５３１ｂとの当接位置が先端側に移動することとなる。すなわち、保持孔２４の内側面２４ａ（ケーブル２０の挿入領域２０１）に加えられる上方（ケーブル挿抜方向の他方側）への力によって、ロック部５２１が前方に移動するように前側アーム部５２０が弾性変形し、ロック部５３１が後方に移動するように後側アーム部５３０が弾性変形することとなる。
【０１７０】
そして、内側面２４ａの奥側傾斜面５２１ｂ，５３１ｂとの当接位置が先端まで移動すると、前側アーム部５２０の弾性復元力によってロック部５２１の先端がケーブル２０の前面２０ａを押圧し、後側アーム部５３０の弾性復元力によってロック部５３１の先端がケーブル２０の後面２０ｂを押圧することとなる。すなわち、ケーブル２０の保持孔２４よりも先端側（下側）が、前側アーム部５２０のロック部５２１および後側アーム部５３０のロック部５３１によって挟持されることとなる。
【０１７１】
こうすることで、前側アーム部５２０のロック部５２１および後側アーム部５３０のロック部５３１によるケーブル２０の保持孔２４の係止（係合）が解除されて、ケーブル２０は、図１４および図１７に示す状態（挿入途中状態）となる。なお、ケーブル２０が、挿入完了状態から挿入途中状態まで移動する間、コンタクト４０の接触部４３１は、導体２２ａ上をケーブル挿入時とは逆方向（本体部２０ｃ側から先端側）に摺動している。
【０１７２】
そして、挿入途中状態となったケーブル２０を、接触部４３１による押圧力およびロック部５２１およびロック部５３１による挟持力に抗してさらに上方に引っ張ると、ロック部５２１の先端がケーブル２０の前面２０ａ上をケーブル２０の先端側に向けて摺動することとなる。また、ロック部５３１の先端がケーブル２０の後面２０ｂ上をケーブル２０の先端側に向けて摺動することとなる。
【０１７３】
すなわち、ケーブル２０は、前側アーム部５２０のロック部５２１および後側アーム部５３０のロック部５３１によって挟持されながら、ハウジング３０の上方に移動することとなる。このとき、コンタクト４０の接触部４３１は、導体２２ａ上をケーブル２０の先端側に向けて摺動することとなる。
【０１７４】
そして、ケーブル２０の先端（下端）が接触部４３１を過ぎることで、接触部４３１と導体２２ａとが非接触状態となって、ケーブル２０のコンタクト４０との導通接続が解除されることとなる。すなわち、コンタクト４０が元の状態（ハウジング３０に保持されただけの状態）に戻ることとなる。
【０１７５】
また、ケーブル２０のコンタクト４０との導通接続が解除されるのとほぼ同時に、ケーブル２０の先端（下端）がロック部５２１の先端およびロック部５３１の先端を過ぎることとなる。このように、ケーブル２０の先端（下端）がロック部５２１の先端およびロック部５３１の先端を過ぎることで、ケーブル２０の先端とロック部５２１，５３１とが非接触状態となって、ロック金具５０によるケーブル２０のロックが解除されることとなる。すなわち、ロック金具５０も元の状態（ハウジング３０に保持されただけの状態）に戻ることとなる。
【０１７６】
こうすることで、ケーブル２０のコンタクト４０との導通接続が解除されるとともに、ケーブル２０のロック金具５０によるロックが解除されて、ケーブル２０のハウジング３０からの抜去が完了することとなる。
【０１７７】
このように、本実施形態では、ケーブル２０自体を上方に引っ張ることで、導体２２ａの本体部２０ｃ側の部位を圧接する接触部４３１をケーブル２０の先端側に摺動させ、ケーブル２０のコンタクト４０との導通接続が解除されるようにしている。
【０１７８】
また、ケーブル２０自体を上方に引っ張ることで、ロック金具５０のアーム部（前側アーム部５２０および後側アーム部５３０）を弾性変形させ、前側アーム部５２０のロック部５２１および後側アーム部５３０のロック部５３１によるケーブル２０のロックが解除されるようにしている。
【０１７９】
すなわち、ケーブル２０自体を上方に引っ張ることで、ケーブル２０をハウジング３０から抜き去ることができるようにしている。
【０１８０】
なお、本実施形態では、ロック部５２１は、奥側傾斜面５２１ｂの方が開口側傾斜面５２１ａよりも傾斜がきつくなるようにしており、ロック部５３１は、奥側傾斜面５３１ｂの方が開口側傾斜面５３１ａよりも傾斜がきつくなるようにしている。こうすることで、ロック部５２１およびロック部５３１の保持孔２４への係止（係合）を解除させる際に必要な引っ張り力が、ロック部５２１およびロック部５３１を保持孔２４に係止（係合）させる際に必要な押し込み力よりも大きくなるようにしている。
【０１８１】
そのため、ロック部５２１およびロック部５３１の保持孔２４への係止（係合）を解除させる際には、ロック部５２１およびロック部５３１を保持孔２４に係止（係合）させる際に必要な押し込み力よりも大きな引っ張り力が必要となる。
【０１８２】
したがって、挿入完了状態にあるケーブル２０を、ロック部５２１およびロック部５３１を保持孔２４に係止（係合）させる際に必要な力以下で上方に引っ張ったとしても、奥側傾斜面５２１ｂ，５３１ｂの保持孔２４の内側面２４ａへの係止が解除されないようになっている。すなわち、挿入完了状態にあるケーブル２０を、ロック部５２１およびロック部５３１を保持孔２４に係止（係合）させる際に必要な力以下で上方に引っ張った場合には、ケーブル２０の上方（ケーブル挿抜方向の他方側）への移動が規制されて、ケーブル２０の抜け止めがなされるようにしている。
【０１８３】
以上説明したように、本実施形態にかかるコネクタ１０は、シート状のケーブル２０が挿抜される収容空間３００が形成されたハウジング３０を備えている。また、コネクタ１０は、ケーブル２０に形成された導体２２ａに電気的に接続される接触部４３１を有し、ハウジング３０に保持されるコンタクト（端子）４０を備えている。さらに、コネクタ１０は、ケーブル２０に形成された保持孔（被ロック部）２４に係合するロック部５２１，５３１を有し、ハウジング３０に保持されるロック金具（ロック部材）５０を備えている。
【０１８４】
また、コンタクト４０は、当該コンタクト４０をハウジング３０に保持した状態でケーブル２０を収容空間３００内に挿入した際に、接触部４３１がケーブル２０と当接するように構成されている。
【０１８５】
また、ロック金具５０は、当該ロック金具５０をハウジング３０に保持した状態でケーブル２０を収容空間３００内に挿入した際に、ロック部５２１，５３１がケーブル２０と当接するように構成されている。
【０１８６】
そして、ケーブル挿抜方向（上下方向：Ｚ方向）に力が加えられたケーブル２０が接触部４３１に当接することでコンタクト４０が弾性変形するようにしている。
【０１８７】
さらに、ケーブル挿抜方向（上下方向：Ｚ方向）に力が加えられたケーブル２０がロック５２１，５３１に当接することでロック金具５０が弾性変形するようにしている。
【０１８８】
このように、本実施形態にかかるコネクタ１０は、ロック部材としてのロック金具５０を備えている。そのため、ハウジング３０内に挿入されたケーブル２０のケーブル保持力をより高めることができる。
【０１８９】
また、コンタクト４０およびロック金具５０は、ケーブル挿抜方向（上下方向：Ｚ方向）に力が加えられたケーブル２０によって弾性変形するように構成されている。
【０１９０】
こうすることで、ケーブル２０自体にケーブル挿抜方向の力を加えるだけで、ケーブル２０とコンタクト４０とを導通接続させたり、ケーブル２０とコンタクト４０との導通接続を解除させたりすることができるようになる。さらに、ケーブル２０自体にケーブル挿抜方向の力を加えるだけで、ロック金具５０のロック部５２１，５３１によってケーブル２０をロックさせたり、ケーブル２０のロックを解除させたりすることができるようになる。
【０１９１】
すなわち、アクチュエータ等の可動部材やロック解除機構をハウジング３０の外部に露出するように設けることなく、ハウジング３０に対するケーブル２０の挿抜を行うことができるようになる。
【０１９２】
その結果、アクチュエータ等の可動部材やロック解除機構を操作することなくケーブル２０のハウジング３０に対する挿抜を行うことができるようになるため、ケーブル２０の挿抜作業性が悪化してしまうのを抑制することができるようになる。
【０１９３】
このように、本実施形態によれば、ケーブル保持力を高めつつ、ケーブル２０の挿抜作業性が悪化してしまうのを抑制することのできるコネクタ１０を得ることができる。
【０１９４】
また、アクチュエータ等の可動部材やロック解除機構をハウジング３０の外部に設ける必要がないため、コネクタ１０の組立作業性をより向上させることができる。
【０１９５】
また、アクチュエータ等の可動部材やロック解除機構をハウジング３０の外部に露出させる必要がないため、コネクタ１０の外郭形状（ハウジング３０の形状）をより簡素な形状とすることができ、より容易に製造することが可能となる。また、コネクタ１０の小型化を図ることもできるようになる。
【０１９６】
また、アクチュエータ等の可動部材やロック解除機構を操作するためのスペースをコネクタ１０の周囲に確保する必要がなくなるため、回路基板（被実装部材）６０への実装時に必要なスペースをより小さくすることができる。すなわち、回路基板６０上の比較的小さな実装スペースにもコネクタ１０を実装させることができるようになる。このように、本実施形態にかかるコネクタ１０を用いれば、回路基板（被実装部材）６０の実装スペースをより有効活用することができるようになる。
【０１９７】
また、本実施形態では、コンタクト４０をハウジング３０に保持するとともに、収容空間３００にケーブル２０が挿入されていない状態で、収容空間３００における接触部４３１が配置された部位に、ケーブル２０が挿入される側のケーブル厚さ方向（前後方向：Ｘ方向）の間隔がケーブル２０の厚さＴ１よりも小さい第１のギャップＧ１が形成されるようにしている。
【０１９８】
さらに、コンタクト４０は、ケーブル挿抜方向（上下方向：Ｚ方向）に力が加えられたケーブル２０によって第１のギャップＧ１が開く方向に弾性変形できるように、ハウジング３０に保持されている。
【０１９９】
また、ロック金具５０をハウジング３０に保持するとともに、収容空間３００にケーブル２０が挿入されていない状態で、収容空間３００におけるロック部５２１，５３１が配置された部位には、ケーブル２０が挿入される側のケーブル厚さ方向の間隔がケーブルの厚さＴ１よりも小さい第２のギャップＧ２が形成されている。
【０２００】
さらに、ロック金具５０は、ケーブル挿抜方向に力が加えられたケーブル２０によって第２のギャップＧ２が開く方向に弾性変形できるように、ハウジング３０に保持されている。
【０２０１】
このように、本実施形態では、コンタクト４０およびロック金具５０は、第１のギャップＧ１および第２のギャップＧ２がケーブル２０の厚さＴ１よりも小さくなるようにした状態で、ハウジング３０に保持されている。そして、ケーブル２０に加えられるケーブル挿抜方向の力によって、コンタクト４０およびロック金具５０を第１のギャップＧ１および第２のギャップＧ２が開く方向に弾性変形させることができるようにしている。
【０２０２】
こうすることで、より簡素な構成で、ケーブル２０とコンタクト４０とを導通接続させたり、ケーブル２０とコンタクト４０との導通接続を解除させたりすることができるようになる。また、より確実に、ロック金具５０のロック部５２１，５３１によってケーブル２０をロックさせたり、ロック部５２１，５３１によるケーブル２０のロックを解除させたりすることができるようになる。
【０２０３】
また、本実施形態では、コンタクト４０およびロック金具５０が保持されたハウジング３０をケーブル挿抜方向に沿って視た状態で、収容空間３００内に導入されたケーブル２０を下方に移動させた場合に、接触部４３１の一部（収容空間３００内に存在する先端部）がケーブル２０の先端面２０ｅと重なり合うとともに、ロック部５２１，５３１の一部（収容空間３００内に存在する先端部）がケーブル２０の先端面２０ｅと重なり合うようにしている。
【０２０４】
こうすれば、ケーブル２０を挿入する際に、より確実にケーブル２０を接触部４３１およびロック部５２１，５３１に当接させることができるようになる。その結果、より確実に、ケーブル２０とコンタクト４０とを導通接続させたり、ケーブル２０とコンタクト４０との導通接続を解除させたりすることができるようになる。また、より確実に、ロック金具５０のロック部５２１，５３１によってケーブル２０をロックさせたり、ロック部５２１，５３１によるケーブル２０のロックを解除させたりすることができるようになる。
【０２０５】
また、本実施形態では、コンタクト４０が、板状の部材を板厚方向に曲げた形状をしている。そして、コンタクト４０を板厚方向に弾性変形させることで、コンタクト４０の接触部４３１をケーブル２０の導体２２ａに接触させるようにしている。
【０２０６】
こうすることで、コンタクト４０が塑性変形してしまうのが抑制され、より確実にコンタクト４０の接触部４３１をケーブル２０の導体２２ａに接触させることができるようになる。
【０２０７】
また、本実施形態では、ロック金具５０が薄板状に形成されており、ロック金具５０を板厚方向と交差する方向に弾性変形させることで、ロック部５２１，５３１を保持孔２４に係合させるようにしている。
【０２０８】
こうすることで、ロック金具５０を弾性変形させにくくすることができ、ロック金具５０によるケーブル２０のロック力をより高めることができるようになる。その結果、ケーブル２０がハウジング３０から意図せずに抜けてしまうのをより確実に抑制することができるようになる。
【０２０９】
また、本実施形態では、コンタクト４０が、下側（ハウジング３０のケーブル挿入開口３００ａが形成された側とは反対側）からハウジング３０に挿入されている。
【０２１０】
こうすることで、ハウジング３０に挿入されたケーブル２０を抜き去る際に、コンタクト４０がハウジング３０に対して上側（ケーブル挿入開口３００ａが形成された側）に相対移動してしまうのを抑制することができるようになる。したがって、ハウジング３０に挿入されたケーブル２０を抜き去る際に、コンタクト４０がハウジング３０から抜けてしまうのを抑制することができるようになる。
【０２１１】
また、本実施形態では、ロック金具５０が、下側（ハウジング３０のケーブル挿入開口３００ａが形成された側とは反対側）からハウジング３０に挿入されている。
【０２１２】
こうすることで、ハウジング３０に挿入されたケーブル２０を抜き去る際に、ロック金具５０がハウジング３０に対して上側（ケーブル挿入開口３００ａが形成された側）に相対移動してしまうのを抑制することができるようになる。したがって、ハウジング３０に挿入されたケーブル２０を抜き去る際に、ロック金具５０がハウジング３０から抜けてしまうのを抑制することができるようになる。
【０２１３】
また、本実施形態では、ロック金具５０を複数備えている。
【０２１４】
こうすれば、ロック金具５０によるケーブル２０のロック力をより高めることができ、ケーブル２０がハウジング３０から意図せずに抜けてしまうのをより確実に抑制することができるようになる。
【０２１５】
また、ロック金具５０を複数備えることで、ロック部５２１，５３１が保持孔２４に係合された際のケーブル挿入力の落ち込み量をより大きくすることができるようになるため、ケーブル２０がロック部５２１，５３１によってロックされるときに、より明確なクリック感を得ることができるようになる。
【０２１６】
また、本実施形態では、ロック部５２１，５３１が、ケーブル厚さ方向の両側から保持孔２４に係合するようにしている。
【０２１７】
このように、ロック部５２１，５３１をケーブル厚さ方向の両側から保持孔２４に係合させるようにすれば、ロック時やロック解除時には、ロック金具５０をケーブル厚さ方向の一方側および他方側にそれぞれ弾性変形させることになる。そのため、保持孔２４との係合代を同量とした場合、ケーブル厚さ方向の一方側からのみ係合させるロック金具と較べて、ロック時やロック解除時におけるケーブル厚さ方向の一方側への弾性変形量を小さくすることができる。さらに、ケーブル厚さ方向の他方側への弾性変形量も、ケーブル厚さ方向の一方側からのみ係合させるロック金具よりも小さくすることができる。
【０２１８】
このように、ロック部５２１，５３１をケーブル厚さ方向の両側から保持孔２４に係合させるようにすれば、同一方向に大きく弾性変形させることなくケーブル２０のロックやロックの解除を行うことができるようになる。その結果、ロック金具５０が塑性変形してしまうのを抑制することができるようになる。
【０２１９】
また、本実施形態では、コンタクト４０には、回路基板６０に実装される実装片（実装部）４１３が形成されている。そして、実装片４１３を回路基板６０に実装した際に、ケーブル挿抜方向が回路基板６０の実装面６０ａと交差する方向となるようにしている。
【０２２０】
すなわち、ケーブル２０を実装面６０ａに沿って移動させずにハウジング３０に対して挿抜させることができるようにしている。こうすれば、ケーブル２０のハウジング３０に対する挿抜を行いやすくなる。また、ハウジング３０に対する挿抜時にケーブル２０を移動させるためのスペースをコネクタ１０の周囲に確保する必要がなくなる。その結果、回路基板６０への実装時に必要なスペースをより小さくすることができ、回路基板６０の実装スペースをより有効活用することができるようになる。
【０２２１】
また、本実施形態では、ロック金具５０には、回路基板６０に取り付けられる取付片（取付部）５１２が形成されている。そして、取付片５１２が、実装片４１３とはケーブル厚さ方向の反対側で回路基板６０に取り付けられている。
【０２２２】
こうすることで、ハウジング３０は、比較的倒れやすい方向であるケーブル厚さ方向の両側が実装片４１３および取付片５１２により固定されることとなる。その結果、より安定した状態で、コネクタ１０を回路基板６０に実装させることができるようになる。また、ハウジング３０内に挿入されたケーブル２０にケーブル厚さ方向の力が加えられた場合に、コネクタ１０が回路基板６０から外れてしまう（ケーブル厚さ方向のいずれかに倒れてしまう）のを、より確実に抑制することができるようになる。
【０２２３】
また、本実施形態では、コンタクト４０およびロック金具５０をハウジング３０に保持した状態で、ケーブル挿抜方向およびケーブル厚さ方向と直交する方向（幅方向：Ｙ方向）に沿って視た際に、接触部４３１およびロック部５２１，５３１がケーブル挿抜方向において略同位置となるようにしている。
【０２２４】
こうすれば、ケーブル２０を、コンタクト４０への当接とほぼ同時にロック金具５０に当接させることができる。すなわち、コンタクト４０およびロック金具５０を、ケーブル挿入力によってほぼ同時に弾性変形させることができる。そのため、ケーブル２０がコンタクト４０およびロック金具５０に当接した後におけるケーブル挿入力を比較的滑らかに増加させることができるようになる。すなわち、ケーブル２０のコンタクト４０およびロック金具５０への当接時からロック部５２１，５３１が保持孔２４に係合されるまでの所定の範囲において、ケーブル挿入力を徐々に増加させることができるようになる。
【０２２５】
こうすれば、ロック部５２１，５３１が保持孔２４に係合される直前のケーブル挿入力がピークとなるため、ロック部５２１，５３１が保持孔２４に係合された際のケーブル挿入力の落ち込みをより強調させることができる。
【０２２６】
その結果、ケーブル２０がロック部５２１，５３１によってロックされるときに、より明確なクリック感を得ることができるようになる。
【０２２７】
なお、コネクタ１０は、上記実施形態で示した構成に限られるものではなく、様々な構成とすることができる。
【０２２８】
例えば、図２０および図２１に示すコネクタ１０とすることができる。
【０２２９】
具体的には、図２０および図２１に示すコネクタ１０も、ＦＰＣやＦＦＣ等のケーブル（被接続部材）２０が挿入される絶縁性のハウジング３０を備えている。さらに、コネクタ１０は、ハウジング３０に保持され、ケーブル２０に導通接続されるコンタクト（端子）４０と、ハウジング３０に保持され、挿入されたケーブル２０の保持力を高めるためのロック金具（ロック部材）５０と、を備えている。
【０２３０】
そして、このコネクタ１０も、回路基板（被実装部材）６０に実装するとともに、ハウジング３０内にケーブル２０を挿入してコンタクト４０に導通接続させることで、ケーブル２０と回路基板６０とを電気的に接続させるものである。
【０２３１】
図２０および図２１においても、コネクタ１０が回路基板６０に、ケーブル挿抜方向が回路基板６０の実装面６０ａと交差する方向となるようにした状態で実装されるようにしている。
【０２３２】
また、図２０および図２１に示すコネクタ１０も、いわゆるＮＯＮ−ＺＩＦ（Non-Zero Insertion Force）タイプのコネクタであり、ケーブル２０自体をケーブル挿抜方向（Ｚ方向）に押し込んだり引っ張ったりすることで、ケーブル２０の挿抜が行えるようになっている。そして、ケーブル２０自体をケーブル挿抜方向（Ｚ方向）に押し込んだり引っ張ったりすることで、ロック金具（ロック部材）５０によるケーブル２０のロックやロック解除も行えるようになっている。
【０２３３】
ここで、図２０および図２１では、ロック金具５０のロック部５２１がケーブル２０の先端を前面２０ａ側から乗り越えて、保持孔２４に係止（係合）されるようにしている。一方、ロック金具５０には、ケーブル２０の後面２０ｂ側から保持孔２４に係止（係合）されるロック部は形成されないようにしている。すなわち、ロック金具５０には、導体２２ａが形成された側であるケーブル厚さ方向の一方側から保持孔（非ロック部）２４に係止（係合）されるロック部５２１のみが形成されている。
【０２３４】
そして、図２０および図２１に示すコネクタ１０においても、ロック金具５０をハウジング３０に保持した状態でケーブル２０を収容空間３００内に挿入した際に、ロック部５２１がケーブル２０と当接するように、ロック金具５０を構成している。そして、ケーブル挿抜方向（上下方向：Ｚ方向）に力が加えられたケーブル２０にロック部５２１が当接することで、ロック金具５０が弾性変形するようにしている。
【０２３５】
なお、図２０および図２１に示すコネクタ１０では、上記実施形態で示したケーブル２０、ハウジング３０およびコンタクト４０と同一のものが用いられている。
【０２３６】
したがって、コンタクト４０をハウジング３０に保持した状態でケーブル２０を収容空間３００内に挿入した際に、接触部４３１がケーブル２０と当接するように、コンタクト４０を構成している。すなわち、コンタクト４０がハウジング３０に保持された状態（コンタクト４０をコンタクト収容空間３６０に収容した状態）で、接触部４３１の少なくとも一部がケーブル受入空間３０２（収容空間３００）内に存在する（配置される）ようにしている。
【０２３７】
さらに、ケーブル挿抜方向（上下方向：Ｚ方向）に力が加えられたケーブル２０に接触部４３１が当接することで、コンタクト４０が弾性変形するようにしている。そして、コンタクト４０の弾性復元力によって接触部４３１が、ケーブル２０の前面２０ａに形成された導体２２ａを押圧するようにしている。
【０２３８】
このように、図２０および図２１に示すコネクタ１０においては、ケーブル２０のハウジング３０に対する挿抜時には、ロック部５２１が、コンタクト４０の接触部４３１と同じ方向からケーブル２０に接触することとなる。
【０２３９】
図２０および図２１に示すロック金具５０は、基部５１０を備えており、この基部５１０の前端に圧入部５１１が上方に延在するように連設されている。そして、この圧入部５１１を前壁３１０に形成された圧入凹部３１２に圧入することで、ロック金具５０がハウジング３０に保持されるようにしている。
【０２４０】
また、基部５１０の後端には、実装材料（半田およびフラックス）７０によって回路基板（被実装部材）６０に取り付けられる取付片（実装部）５１２が前後方向（Ｘ方向）の後方に延設されている。
【０２４１】
また、基部５１０の前後方向の略中央部には、前壁３１０の近傍で上下方向（Ｚ方向）に延在する略棒状の前側アーム部５２０が連設されている。この前側アーム部５２０は、基部５１０に弾性変形可能に連設されており、基部５１０に対してＸＺ平面（前後方向および上下方向）に沿って相対移動できるようになっている。
【０２４２】
そして、前側アーム部５２０の先端部には、後方（挿入したケーブル２０）に向かって突出したロック部５２１が形成されている。
【０２４３】
このロック部５２１も、上記実施形態で示すロック部５２１と同様に、開口側傾斜面５２１ａおよび奥側傾斜面５２１ｂで画成された略山型の突起となっている。そして、開口側傾斜面５２１ａの方が奥側傾斜面５２１ｂよりも傾斜が緩くなるようにロック部５２１を形成している。すなわち、開口側傾斜面５２１ａの方が奥側傾斜面５２１ｂよりも、幅方向および上下方向に延在する鉛直面（ＹＺ平面）とのなす角（鋭角）が小さくなるようにしている。なお、図２０および図２１に示すロック金具５０には、ケーブル厚さ方向の一方側から保持孔２４に係止するロック部５２１しか形成されていないため、奥側傾斜面５２１ｂは、上記実施形態で示した奥側傾斜面５２１ｂよりも傾斜がきつくなっている。こうすることで、ロック解除時に必要なケーブル挿抜方向の力が、上記実施形態で示したものと近くなるようにしている。
【０２４４】
そして、ロック部５２１は、ロック金具５０をハウジング３０に保持するとともに、ケーブル２０をハウジング３０の収容空間３００に挿入した状態（挿入完了状態）で、ケーブル２０の保持孔（非ロック部）２４と対応する位置に存在するように形成されている。
【０２４５】
また、図２０および図２１においても、コンタクト４０およびロック部材５０をハウジング３０に保持した状態で、Ｙ方向（ケーブル挿抜方向およびケーブル厚さ方向と直交する方向）に沿って視た際に、接触部４３１およびロック部５２１がＺ方向（ケーブル挿抜方向）において略同位置となるようにしている。すなわち、コンタクト４０およびロック部材５０をハウジング３０に保持した状態で、接触部４３１およびロック部５２１が幅方向（Ｙ方向）に略一直線上に並ぶようにしている。
【０２４６】
また、図２０および図２１に示すハウジング３０においても、ロック金具収容空間３７０が形成された部位における後壁３２０に、前方および下方に開口する溝部３２４が形成されている。なお、図２０および図２１に示すロック金具５０を用いる場合、溝部３２４を設けないようにすることもできる。
【０２４７】
さらに、前側アーム部５２０は、互いに隣り合う隔壁３５０Ａ，３５０Ａの間に形成される溝部に大半が収容された状態でハウジング３０に保持されており、ロック部５２１の先端が、隔壁３５０Ａの後面３５１Ａよりも後側に位置し、ケーブル受入空間３０２（収容空間３００）内に露出している。
【０２４８】
このように、図２０および図２１に示すコネクタ１０においても、コンタクト４０およびロック金具５０がハウジング３０に保持された状態で、接触部４３１の少なくとも一部およびロック部５２１の少なくとも一部が収容空間３００内に存在するようにしている。
【０２４９】
そして、コンタクト４０およびロック金具５０が保持されたハウジング３０をケーブル挿抜方向に沿って視た状態で、収容空間３００内に導入されたケーブル２０を下方に移動させた場合に、接触部４３１の一部（収容空間３００内に存在する先端部）がケーブル２０の先端面２０ｅと重なり合うとともに、ロック部５２１の一部（収容空間３００内に存在する先端部）がケーブル２０の先端面２０ｅと重なり合うようにしている。
【０２５０】
こうすることで、ケーブル２０を収容空間３００内に挿入するときには、ケーブル２０が必ず接触部４３１およびロック部５２１に当接するようにしている。
【０２５１】
また、図２０および図２１においても、ケーブル２０を収容空間３００に挿入する際には、ケーブル２０がロック部５２１の開口側傾斜面５２１ａに最初に当接するようにしている。
【０２５２】
具体的には、図２０および図２１に示すコネクタでは、ケーブル２０の先端面２０ｅが収容空間３００のケーブル受入空間３０２内に導入されているがコンタクト４０およびロック金具５０には接触していない状態をケーブル挿抜方向に沿って視た際に、接触部４３１の一部およびロック部５２１の一部が先端面２０ｅと重なり合うようにしている。
【０２５３】
すなわち、図２０および図２１に示すコネクタでは、ケーブル受入空間３０２の後方を画成する後壁３２０の前面３２１にケーブル２０の後面２０ｂを接触させた状態における先端面２０ｅをケーブル挿抜方向に沿って視た図は、図１９からロック部５３１を除いた図となる。
【０２５４】
したがって、図２０および図２１に示すコネクタにおいても、コンタクト４０は、接触部４３１の先端側が領域Ｒ１に存在するようにした状態でハウジング３０に保持されることとなる。
【０２５５】
また、領域Ｒ１の後方を画成する後壁３２０の前面３２１と接触部４３１の先端（後端）との間には、ケーブル厚さ方向の間隔Ｄ１が形成されることとなり、この間隔（領域Ｒ１に形成されるケーブル厚さ方向の間隔）Ｄ１が、ケーブル２０の厚さＴ１よりも小さくなっている。
【０２５６】
また、ロック金具５０は、ロック部５２１の先端側が領域Ｒ１に存在するようにした状態でハウジング３０に保持されることとなる。
【０２５７】
なお、図２０および図２１に示すコネクタでは、ロック部５２１の先端と領域Ｒ１の後方を画成する後壁３２０の前面３２１との間が、領域Ｒ１に形成されるケーブル厚さ方向の間隔（ケーブル２０の先端面２０ｅをロック部５２１よりも奥側に移動させる際に先端面２０ｅが通過する隙間）となっており、この間隔もケーブル２０の厚さＴ１よりも小さくなっている。
【０２５８】
そして、ケーブル受入空間３０２の後方を画成する後壁３２０の前面３２１にケーブル２０の後面２０ｂを接触させた状態における先端面２０ｅをケーブル挿抜方向に沿って視たときに、接触部４３１の上面４３１ａおよびロック部５２１の開口側傾斜面５２１ａが、ケーブル２０の先端面２０ｅの前辺２０ｆによって前後に分断されるようにしている。
【０２５９】
こうすることで、ケーブル２０をケーブル受入空間３０２内に挿入させる際に、接触部４３１の上面４３１ａおよびロック部５２１の開口側傾斜面５２１ａにケーブル２０が接触するようにしている。
【０２６０】
このように、図２０および図２１に示すコネクタでは、ケーブル２０の先端面２０ｅをコンタクト４０およびロック金具５０の近傍に配置させた状態におけるケーブル２０の先端面２０ｅをケーブル挿抜方向に沿って視た場合に、先端側の一部のみが先端面２０ｅと重なり合うように接触部４３１およびロック部５２１を構成している。
【０２６１】
以上説明したように、コネクタ１０の構成を図２０および図２１に示す構成としても、上記実施形態で示すコネクタ１０と同様の作用、効果を奏することができる。
【０２６２】
また、図２０および図２１では、ケーブル厚さ方向の一方側からロック部５２１を保持孔（被ロック部）２４に係合させている。
【０２６３】
こうすれば、ロック金具５０を一方向に弾性変形させるだけで、ケーブル２０のハウジング３０に対する挿抜が行われるため、より容易にケーブル２０のハウジング３０に対する挿抜を行うことができるようになる。
【０２６４】
また、図２０および図２１では、少なくともケーブル厚さ方向の一方側に導体２２ａが形成されており、ケーブル厚さ方向の一方側からロック部５２１を保持孔（被ロック部）２４に係合させている。すなわち、ロック金具５０のロック部５２１を、コンタクト４０の接触部４３１と同一の方向からケーブル２０に接触させるようにしている。
【０２６５】
このように、ケーブル２０のハウジング３０に対する挿抜時に、ケーブル２０の一面が接触部４３１およびロック部５２１によって押圧されるようにすれば、ケーブル２０の前面２０ａ上における押圧箇所が分散される（より広い領域が押圧される）ため、ケーブル２０の前面２０ａ上における押圧箇所が偏ってしまうのを抑制することができる。その結果、ケーブル２０のハウジング３０に対する挿抜をより安定して行うことができるようになる。
【０２６６】
また、図２２および図２３に示すコネクタ１０とすることもできる。
【０２６７】
図２２および図２３に示すコネクタ１０は、図２０および図２１に示すコネクタ１０とほぼ同様の構成をしている。そして、ロック金具５０のロック部５３１がケーブル２０の先端を後面２０ｂ側から乗り越えて、保持孔２４に係止（係合）されるようにしている点が、図２０および図２１に示すコネクタ１０と主に異なる点である。
【０２６８】
すなわち、図２２および図２３に示すコネクタ１０においては、ケーブル２０のハウジング３０に対する挿抜時には、ロック部５３１が、コンタクト４０の接触部４３１とは反対側の方向からケーブル２０に接触するようにしている。
【０２６９】
図２２および図２３に示すロック金具５０は、基部５１０を備えており、この基部５１０の前端に圧入部５１１が上方に延在するように連設されている。そして、この圧入部５１１を前壁３１０に形成された圧入凹部３１２に圧入することで、ロック金具５０がハウジング３０に保持されるようにしている。
【０２７０】
また、基部５１０の後端には、実装材料（半田およびフラックス）７０によって回路基板（被実装部材）６０に取り付けられる取付片（実装部）５１２が前後方向（Ｘ方向）の後方に延設されている。
【０２７１】
また、基部５１０の前後方向の略中央部よりも後側には、後壁３２０の近傍で上下方向（Ｚ方向）に延在する略棒状の後側アーム部５３０が連設されている。この後側アーム部５３０は、基部５１０に弾性変形可能に連設されており、基部５１０に対してＸＺ平面（前後方向および上下方向）に沿って相対移動できるようになっている。
【０２７２】
そして、後側アーム部５３０の先端部には、前方（挿入したケーブル２０）に向かって突出したロック部５３１が形成されている。
【０２７３】
このロック部５３１も、上記実施形態で示すロック部５３１と同様に、開口側傾斜面５３１ａおよび奥側傾斜面５３１ｂで画成された略山型の突起となっている。そして、開口側傾斜面５３１ａの方が奥側傾斜面５３１ｂよりも傾斜が緩くなるようにロック部５３１を形成している。すなわち、開口側傾斜面５３１ａの方が奥側傾斜面５３１ｂよりも、幅方向および上下方向に延在する鉛直面（ＹＺ平面）とのなす角（鋭角）が小さくなるようにしている。なお、図２２および図２３に示すロック金具５０には、導体２２ａが形成された側とは反対側であるケーブル厚さ方向の他方側から保持孔２４に係止するロック部５３１しか形成されていないため、奥側傾斜面５３１ｂは、上記実施形態で示した奥側傾斜面５３１ｂよりも傾斜がきつくなっている。こうすることで、ロック解除時に必要なケーブル挿抜方向の力が、上記実施形態で示したものと近くなるようにしている。
【０２７４】
そして、ロック部５３１は、ロック金具５０をハウジング３０に保持するとともに、ケーブル２０をハウジング３０の収容空間３００に挿入した状態（挿入完了状態）で、ケーブル２０の保持孔（非ロック部）２４と対応する位置に存在するように形成されている。
【０２７５】
また、図２２および図２３においても、コンタクト４０およびロック部材５０をハウジング３０に保持した状態で、Ｙ方向（ケーブル挿抜方向およびケーブル厚さ方向と直交する方向）に沿って視た際に、接触部４３１およびロック部５３１がＺ方向（ケーブル挿抜方向）において略同位置となるようにしている。すなわち、コンタクト４０およびロック部材５０をハウジング３０に保持した状態で、接触部４３１およびロック部５３１が幅方向（Ｙ方向）に略一直線上に並ぶようにしている。
【０２７６】
また、図２２および図２３に示すハウジング３０においても、ロック金具収容空間３７０が形成された部位における後壁３２０に、前方および下方に開口する溝部３２４が形成されており、この溝部３２４内に後側アーム部５３０の大半が収容されるようにしている。そして、ロック部材５０をハウジング３０に保持し、ケーブル受入空間３０２（収容空間３００）にケーブル２０が挿入されていない状態では、後側アーム部５３０のロック部５３１がケーブル受入部３００内（溝部３２４の外側：ケーブル受入空間３０２内）に露出するようにしている。
【０２７７】
このように、図２２および図２３に示すコネクタ１０においても、コンタクト４０およびロック金具５０がハウジング３０に保持された状態で、接触部４３１の少なくとも一部およびロック部５３１の少なくとも一部が収容空間３００内に存在するようにしている。
【０２７８】
そして、コンタクト４０およびロック金具５０が保持されたハウジング３０をケーブル挿抜方向に沿って視た状態で、収容空間３００内に導入されたケーブル２０を下方に移動させた場合に、接触部４３１の一部（収容空間３００内に存在する先端部）がケーブル２０の先端面２０ｅと重なり合うとともに、ロック部５３１の一部（収容空間３００内に存在する先端部）がケーブル２０の先端面２０ｅと重なり合うようにしている。
【０２７９】
こうすることで、ケーブル２０を収容空間３００内に挿入するときには、ケーブル２０が必ず接触部４３１およびロック部５３１に当接するようにしている。
【０２８０】
また、図２２および図２３においても、ケーブル２０を収容空間３００に挿入する際には、ケーブル２０がロック部５３１の開口側傾斜面５３１ａに最初に当接するようにしている。
【０２８１】
具体的には、図２２および図２３に示すコネクタでは、ケーブル２０の先端面２０ｅが収容空間３００のケーブル受入空間３０２内に導入されているがコンタクト４０およびロック金具５０には接触していない状態をケーブル挿抜方向に沿って視た際に、接触部４３１の一部およびロック部５３１の一部が先端面２０ｅと重なり合うようにしている。
【０２８２】
すなわち、図２２および図２３に示すコネクタでは、ケーブル受入空間３０２の後方を画成する後壁３２０の前面３２１にケーブル２０の後面２０ｂを接触させた状態における先端面２０ｅをケーブル挿抜方向に沿って視た図は、図１９からロック部５２１を除いた図となる。
【０２８３】
したがって、図２２および図２３に示すコネクタにおいても、コンタクト４０は、接触部４３１の先端側が領域Ｒ１に存在するようにした状態でハウジング３０に保持されることとなる。
【０２８４】
また、領域Ｒ１の後方を画成する後壁３２０の前面３２１と接触部４３１の先端（後端）との間には、ケーブル厚さ方向の間隔Ｄ１が形成されることとなり、この間隔（領域Ｒ１に形成されるケーブル厚さ方向の間隔）Ｄ１が、ケーブル２０の厚さＴ１よりも小さくなっている。
【０２８５】
また、ロック金具５０は、ロック部５３１の先端側が領域Ｒ１に存在するようにした状態でハウジング３０に保持されることとなる。図２２および図２３に示すコネクタでは、領域Ｒ１に形成されるケーブル厚さ方向の間隔（ケーブル２０の先端面２０ｅをロック部５３１よりも奥側に移動させる際に先端面２０ｅが通過する隙間）が、ロック部５３１の先端と領域Ｒ１の前方を画成する鉛直面３５１ｂＡとの間に形成されている。この間隔は、ケーブル２０の厚さＴ１よりも小さくなっている必要はない。図２２および図２３に示すコネクタでは、領域Ｒ１に形成される実質的なケーブル厚さ方向の間隔は、接触部４３１の先端とロック部５３１の先端との間のケーブル厚さ方向の距離であり、この距離がケーブル２０の厚さＴ１よりも小さくなっている。なお、実質的なケーブル厚さ方向の間隔は、コンタクト４０およびロック金具５０を弾性変形させることなく挿入することのできるケーブルの最大厚さと略一致するものである。
【０２８６】
そして、ケーブル受入空間３０２の後方を画成する後壁３２０の前面３２１にケーブル２０の後面２０ｂを接触させた状態における先端面２０ｅをケーブル挿抜方向に沿って視たときに、接触部４３１の上面４３１ａがケーブル２０の先端面２０ｅの前辺２０ｆによって前後に分断されるとともに、ロック部５３１の開口側傾斜面５３１ａがケーブル２０の先端面２０ｅの後辺２０ｇによって前後に分断されるようにしている。
【０２８７】
こうすることで、ケーブル２０をケーブル受入空間３０２内に挿入させる際に、接触部４３１の上面４３１ａおよびロック部５３１の開口側傾斜面５３１ａにケーブル２０が接触するようにしている。
【０２８８】
このように、図２２および図２３に示すコネクタでは、ケーブル２０の先端面２０ｅをコンタクト４０およびロック金具５０の近傍に配置させた状態におけるケーブル２０の先端面２０ｅをケーブル挿抜方向に沿って視た場合に、先端側の一部のみが先端面２０ｅと重なり合うように接触部４３１およびロック部５３１を構成している。
【０２８９】
以上説明したように、コネクタ１０の構成を図２２および図２３に示す構成としても、図２０および図２１に示すコネクタ１０と同様の作用、効果を奏することができる。
【０２９０】
また、図２２および図２３では、ケーブル厚さ方向の他方側からロック部５３１を保持孔（被ロック部）２４に係合させている。
【０２９１】
こうすれば、ロック金具５０を他方向に弾性変形させるだけで、ケーブル２０のハウジング３０に対する挿抜が行われるため、より容易にケーブル２０のハウジング３０に対する挿抜を行うことができるようになる。
【０２９２】
また、図２２および図２３では、少なくともケーブル厚さ方向の一方側に導体２２ａが形成されており、ケーブル厚さ方向の他方側からロック部５２１を保持孔（被ロック部）２４に係合させている。すなわち、ロック金具５０のロック部５３１を、コンタクト４０の接触部４３１とは反対側の方向からケーブル２０に接触させるようにしている。
【０２９３】
このように、ケーブル２０のハウジング３０に対する挿抜時に、ケーブル２０の両面が押圧されるようにすれば、ケーブル２０が接触部４３１およびロック部５３１によって挟持されることとなる。そのため、ケーブル２０がハウジング３０から抜けてしまうのを抑制することができ、ケーブル保持力をより向上させることができるようになる。
【０２９４】
また、図２４に示すように、アーム長の異なる２種類のロック金具５０，５０Ａを用いるようにすることも可能である。
【０２９５】
例えば、ハウジング３０の幅方向の一方側に保持される２つのロック金具として、図２４（ａ）に示すロック金具５０および図２４（ｂ）に示すロック金具５０Ａを１つずつ用い、１つの保持孔２４にアーム長の異なる２種類のロック金具（ロック金具５０およびロック金具５０Ａ）が係止（係合）されるようにすることができる。
【０２９６】
こうすることで、複数のロック金具をハウジング３０に保持した状態で、ケーブル挿抜方向およびケーブル厚さ方向と直交する方向に沿って視た際に、ケーブル挿抜方向にずれた位置に形成されたロック部５２１Ａ，５３１Ａを有するロック金具５０Ａが少なくとも１つ存在することとなる。
【０２９７】
なお、ケーブル２０に形成された２つの保持孔２４のそれぞれに、アーム長の異なる２種類のロック金具（ロック金具５０およびロック金具５０Ａ）が係合されるようにすることもできる。
【０２９８】
また、２つの保持孔２４のうちの一方の保持孔２４にロック金具５０を係合させるとともに、他方の保持孔２４にロック金具５０Ａを係合させるようにしてもよい。
【０２９９】
なお、アーム長の異なる２種類のロック金具の形状は、図２４に示したものに限られず、それぞれ様々な形状とすることができる。例えば、ロック金具の形状を、図２０および図２１に示す形状としたり、図２２および図２３に示す形状としたりすることができる。また、３種類以上のロック金具を用いることも可能である。
【０３００】
このように、図２４に示す構成としても、上記実施形態で示した構成と同様の作用、効果を奏することができる。
【０３０１】
また、図２４では、複数のロック金具をハウジング３０に保持した状態で、ケーブル挿抜方向およびケーブル厚さ方向と直交する方向に沿って視た際に、ケーブル挿抜方向にずれた位置に形成されたロック部５２１Ａ，５３１Ａを有するロック金具５０Ａが少なくとも１つ存在するようにしている。
【０３０２】
こうすることで、ロック部が保持孔２４に係合される際には、ケーブル挿入力を２段階（多段階）で落ち込ませることができるため、より容易にケーブル２０をハウジング３０に挿入させることができるようになる。
【０３０３】
また、ケーブル２０をハウジング３０から抜去させる際には、ケーブル抜去力を２段階（多段階）で増大させる必要があるため、ケーブル２０がハウジング３０から抜けてしまうのをより確実に抑制することができるようになる。
【０３０４】
また、図２５〜図２７に示すコネクタ１０とすることもできる。
【０３０５】
図２５〜図２７に示すコネクタ１０も、ＦＰＣやＦＦＣ等のケーブル（被接続部材）２０が挿入される絶縁性のハウジング３０を備えている。さらに、コネクタ１０は、ハウジング３０に保持され、ケーブル２０に導通接続されるコンタクト（端子）４０と、ハウジング３０に保持され、挿入されたケーブル２０の保持力を高めるためのロック金具（ロック部材）５０と、を備えている。
【０３０６】
そして、このコネクタ１０も、回路基板（被実装部材）６０に実装するとともに、ハウジング３０内にケーブル２０を挿入してコンタクト４０に導通接続させることで、ケーブル２０と回路基板６０とを電気的に接続させるものである。
【０３０７】
ここで、図２５〜図２７では、コネクタ１０が回路基板６０に、ケーブル挿抜方向が回路基板６０の実装面６０ａと略平行となるようにした状態で実装されるようにしている。
【０３０８】
したがって、図２５〜図２７に示す構成では、コネクタ１０にケーブル２０を挿入した状態におけるケーブル厚さ方向が上下方向（Ｚ方向）となり、コネクタ１０の長手方向が幅方向（Ｙ方向）となり、ケーブル挿抜方向が前後方向（Ｘ方向）となる。
【０３０９】
そして、図２５〜図２７に示すコネクタ１０については、収容空間３００の開口側をコネクタ１０の前方と規定している。
【０３１０】
なお、図２５〜図２７に示すコネクタ１０は、実装片４１３および取付片５１２の形状以外は、上記実施形態で示したコネクタ１０とほぼ同様の構成をしている。
【０３１１】
すなわち、図２５〜図２７に示すコネクタ１０では、ハウジング３０として、上記実施形態で示したハウジング３０と同一のものが用いられている。そして、図２５〜図２７に示すコネクタ１０は、ハウジング３０を上記実施形態で示した後壁が底壁３２０となるようにした状態で、回路基板６０に実装されている。
【０３１２】
したがって、図２５〜図２７に示すハウジング３０の天壁３１０、底壁３２０、一対の側壁３３０，３３０、後壁３４０が、それぞれ、上記実施形態で示したハウジング３０の前壁３１０、後壁３２０、一対の連結壁３３０，３３０、底壁３４０に相当している。
【０３１３】
また、図２５〜図２７に示すコネクタ１０では、コンタクト４０として、上記実施形態で示したコンタクト４０とほぼ同一のものが用いられている。
【０３１４】
すなわち、図２５〜図２７に示すコンタクト４０は、天壁３１０の近傍で前後方向（Ｘ方向）の前方に延在する水平片４１０と、水平片４１０の前端に連設されて略半円弧状に湾曲する湾曲部４２０と、湾曲部４２０の後端に連設され、前後方向の後方に延在するばね片４３０と、を備えている。そして、湾曲部４３０を撓ませることで、ばね片４３０が鉛直片４１０に対して弾性的に相対移動できるようにしている。
【０３１５】
また、ばね片４３０の途中には、下方に向けて略半円弧状に突出する接触部４３１が形成されており、この接触部４３１を導体２２ａに接触させることで、ケーブル２０とコンタクト４０とを導通接続させている。
【０３１６】
そして、水平片４１０の後端には、実装材料（半田およびフラックス）７０によって回路基板（被実装部材）６０に実装される実装片（実装部）４１３が設けられている。
【０３１７】
具体的には、水平片４１０の後端には、上下方向に延在する鉛直片４１４が下方に向けて延設されており、この鉛直片４１４の下端に、実装片４１３が前後方向（Ｘ方向）の後方に延在するように設けられている。
【０３１８】
このように、実装片４１３は、前後方向に延在しており、コンタクト４０をコンタクト収容空間３６０に収容した状態で、先端が後壁３４０の後方に突出するように形成されている。そして、実装片４１３の先端（ハウジング３０から突出した部分）を実装材料（半田およびフラックス）７０によって半田付けすることで、コネクタ１０が回路基板６０に実装されるようにしている（図２６参照）。こうすることで、実装片（実装部）４１３を回路基板（被実装部材）６０に実装した際に、ケーブル挿抜方向（前後方向：Ｘ方向）が回路基板（被実装部材）６０の実装面６０ａと略平行となるようにしている。
【０３１９】
なお、コンタクト４０は、後方（ハウジング３０のケーブル挿入開口３００ａが形成された側とは反対側）からハウジング３０に挿入されている。
【０３２０】
また、図２５〜図２７に示すコネクタ１０では、ロック金具５０として、上記実施形態で示したロック金具５０とほぼ同一のものが用いられている。
【０３２１】
すなわち、図２５〜図２７に示すロック金具５０は、基部５１０を備えており、この基部５１０の上部が圧入部５１１となっている。
【０３２２】
また、基部５１０の下端には、実装材料（半田およびフラックス）７０によって回路基板（被実装部材）６０に取り付けられる取付片（実装部）５１２が前後方向（Ｘ方向）の後方に延設されている。この取付片５１２は、ロック金具５０をロック金具収容空間３７０に収容した状態で、先端が後壁３２０の後方に突出するように形成されている。そして、取付片５１２の先端（ハウジング３０から突出した部分）が実装材料（半田およびフラックス）７０によって半田付けされている（図２７参照）。
【０３２３】
このように、図２５〜図２７に示すコネクタ１０では、コンタクト４０の実装片４１３がハウジング３０の後方で実装材料（半田およびフラックス）７０によって半田付けされており、ロック金具５０の取付片５１２も、ハウジング３０の後方で実装材料（半田およびフラックス）７０によって半田付けされている。
【０３２４】
また、圧入部５１１の上部には、天壁３１０の近傍で前後方向（Ｘ方向）に延在する略棒状の上側アーム部（第１のアーム部）５２０が連設されている。一方、圧入部５１１の下部には、上側アーム部５２０と上下方向（ケーブル厚さ方向）で対向し、底壁３２０の近傍で前後方向（Ｘ方向）に延在する略棒状の下側アーム部（第２のアーム部）５３０が連設されている。
【０３２５】
なお、圧入部５１１、上側アーム部５２０および下側アーム部５３０の形状は、上記実施形態で示した圧入部５１１、前側アーム部５２０および後側アーム部５３０の形状と略同一となっている。
【０３２６】
また、ロック金具５０も、後方（ハウジング３０のケーブル挿入開口３００ａが形成された側とは反対側）からハウジング３０に挿入されている。
【０３２７】
さらに、図２５〜図２７に示すコネクタ１０も、いわゆるＮＯＮ−ＺＩＦ（Non-Zero Insertion Force）タイプのコネクタであり、ケーブル２０自体をケーブル挿抜方向（Ｚ方向）に押し込んだり引っ張ったりすることで、ケーブル２０の挿抜が行えるようになっている。そして、ケーブル２０自体をケーブル挿抜方向（Ｚ方向）に押し込んだり引っ張ったりすることで、ロック金具（ロック部材）５０によるケーブル２０のロックやロック解除も行えるようになっている。
【０３２８】
すなわち、コンタクト４０およびロック金具５０がハウジング３０に保持された状態で、接触部４３１の少なくとも一部およびロック部５３１の少なくとも一部が収容空間３００内に存在するようにしている。
【０３２９】
そして、コンタクト４０およびロック金具５０が保持されたハウジング３０をケーブル挿抜方向に沿って視た状態で、収容空間３００内に導入されたケーブル２０を下方に移動させた場合に、接触部４３１の一部（収容空間３００内に存在する先端部）がケーブル２０の先端面２０ｅと重なり合うとともに、ロック部５３１の一部（収容空間３００内に存在する先端部）がケーブル２０の先端面２０ｅと重なり合うようにしている。
【０３３０】
こうすることで、ケーブル２０を収容空間３００内に挿入するときには、ケーブル２０が必ず接触部４３１およびロック部５３１に当接するようにしている。
【０３３１】
また、図２５〜図２７に示すコネクタ１０においても、ケーブル２０を収容空間３００に挿入する際には、ケーブル２０がロック部５３１の開口側傾斜面５３１ａに最初に当接するようにしている。
【０３３２】
このように、コネクタ１０の構成を図２５〜図２７に示す構成としても、上記実施形態で示した構成と同様の作用、効果を奏することができる。
【０３３３】
また、図２５〜図２７では、コンタクト４０には、回路基板６０に実装される実装片（実装部）４１３が形成されている。そして、実装片４１３を回路基板６０に実装した際に、ケーブル挿抜方向が回路基板６０の実装面６０ａと略平行となるようにしている。
【０３３４】
こうすることで、コネクタ１０の底背化を図ることができるようになる。
【０３３５】
なお、実装片４１３を回路基板６０に実装した際に、ケーブル挿抜方向が回路基板６０の実装面６０ａと略平行となるようにする場合、図２８および図２９に示すコネクタ１０とすることができる。
【０３３６】
図２８および図２９に示すコネクタ１０では、ロック金具５０をロック金具収容空間３７０に収容した状態で、先端がハウジング３０の前方に突出するように取付片５１２を形成している。
【０３３７】
具体的には、図２８および図２９に示すコネクタ１０では、ロック金具５０は、図２５〜図２７に示すロック金具５０の下側アーム部５３０の替わりに固定片５３０Ａを設け、この固定片５３０Ａの前端に取付片５１２を連設した形状をしている。
【０３３８】
すなわち、圧入部５１１の下端には、底壁３２０の近傍で前後方向（Ｘ方向）に延在する略棒状の固定片５３０Ａが底壁３２０よりも前方に突出するように連設されており、この固定片５３０Ａの前端に、前後方向に延在する取付片５１２が鉛直片５１３を介して連設されている。
【０３３９】
そして、取付片５１２の先端（ハウジング３０から突出した部分）が実装材料（半田およびフラックス）７０によって半田付けされている（図２９参照）。
【０３４０】
なお、図２８および図２９に示すコンタクト４０は、図２５〜図２７に示すコンタクト４０と同一の形状をしている。すなわち、実装片４１３は、コンタクト４０をコンタクト収容空間３６０に収容した状態で、先端が後壁３４０の後方に突出するように形成されている。そして、実装片４１３の先端（ハウジング３０から突出した部分）を実装材料（半田およびフラックス）７０によって半田付けすることで、コネクタ１０が回路基板６０に実装されるようにしている（図２８参照）。
【０３４１】
このように、図２８および図２９に示すコネクタ１０では、コンタクト４０の実装片４１３がハウジング３０の後方で実装材料（半田およびフラックス）７０によって半田付けされ、ロック金具５０の取付片５１２が、ハウジング３０の前方で実装材料（半田およびフラックス）７０によって半田付けされている。
【０３４２】
なお、ロック金具５０は、後方（ハウジング３０のケーブル挿入開口３００ａが形成された側とは反対側）からハウジング３０に挿入されるようにしてもよいし、前方（ハウジング３０のケーブル挿入開口３００ａが形成された側）からハウジング３０に挿入されるようにしてもよい。
【０３４３】
このように、コネクタ１０の構成を図２８および図２９に示す構成としても、図２５〜図２７で示したコネクタ１０と同様の作用、効果を奏することができる。
【０３４４】
また、図２８および図２９では、ロック金具５０には、回路基板６０に取り付けられる取付片（取付部）５１２が形成されている。そして、取付片５１２が、実装片４１３とはケーブル挿抜方向の反対側で回路基板６０に取り付けられている。
【０３４５】
こうすれば、より安定した状態で、コネクタ１０を回路基板６０に実装させることができるようになる。その結果、ハウジング３０内に挿入されたケーブル２０にケーブル厚さ方向の力が加えられた場合に、コネクタ１０が回路基板６０から外れてしまうのを、より確実に抑制することができるようになる。
【０３４６】
以上、本発明の好適な実施形態について説明したが、本発明は上記実施形態およびその変形例には限定されず、種々の変形が可能である。
【０３４７】
例えば、上記実施形態およびその変形例で示した構成を適宜組み合わせて、コネクタを形成することができる。
【０３４８】
また、上記実施形態およびその変形例では、１種類のコンタクト（端子）がハウジングに収容されたコネクタを例示したが、複数種類のコンタクト（端子）が収容されるコネクタに本発明を適用することも可能である。
【０３４９】
例えば、２種類のコンタクト（端子）をハウジングに収容し、それぞれの接触部の位置をケーブル挿抜方向にずらすようにしてもよい。この場合、ロック金具のロック部は、ケーブル挿抜方向の位置が、収容空間の奥側に位置する接触部と同じ位置となるようにするのが好ましい。こうすれば、ケーブルの収容空間への挿入が完了する直前に、ロック部を被ロック部に係合させることができ、より明確なクリック感を得ることができる。
【０３５０】
また、上記実施形態およびその変形例では、一面側のみに導体が露出したケーブル２０を挿入するコネクタ１０を例示したが、両面側に導体が露出したケーブルを挿入させるコネクタとしてもよい。
【０３５１】
また、上記実施形態およびその変形例では、先端面が平坦面となるケーブルを例示したが、ケーブルの先端面が湾曲部や屈曲部を含むようにしてもよい。
【０３５２】
また、上記実施形態およびその変形例では、被ロック部として、幅方向の端部をケーブル厚さ方向に貫通するように切り欠いた保持孔２４を例示したが、ケーブル厚さ方向に貫通する貫通孔を被ロック部としたり、ケーブル厚さ方向に凹む有底の凹部を被ロック部としたりすることができる。
【０３５３】
また、金属以外の材料を用いてロック部材を形成することも可能である。
【０３５４】
また、ハウジングや端子、ロック部材等、その他細部のスペック（形状、大きさ、レイアウト等）も適宜に変更可能である。
【符号の説明】
【０３５５】
１０  コネクタ
２０  ケーブル
２０ｅ  先端面
２２ａ  導体
２４  保持孔（被ロック部）
３０  ハウジング
３００  収容空間
３００ａ  ケーブル挿入開口
４０  コンタクト（端子）
４１３  実装片（実装部）
４３１  接触部
５０  ロック金具（ロック部）
５１２  取付片（取付部）
５２１  ロック部
５３１  ロック部
６０  回路基板（被実装部材）
６０ａ  実装面
Ｇ１  第１のギャップ
Ｇ２  第２のギャップ
Ｔ１  ケーブルの厚さ
【図１】
2019102292.tif 000003
【図２】
2019102292.tif 000004
【図３】
2019102292.tif 000005
【図４】
2019102292.tif 000006
【図５】
2019102292.tif 000007
【図６】
2019102292.tif 000008
【図７】
2019102292.tif 000009
【図８】
2019102292.tif 000010
【図９】
2019102292.tif 000011
【図１０】
2019102292.tif 000012
【図１１】
2019102292.tif 000013
【図１２】
2019102292.tif 000014
【図１３】
2019102292.tif 000015
【図１４】
2019102292.tif 000016
【図１５】
2019102292.tif 000017
【図１６】
2019102292.tif 000018
【図１７】
2019102292.tif 000019
【図１８】
2019102292.tif 000020
【図１９】
2019102292.tif 000021
【図２０】
2019102292.tif 000022
【図２１】
2019102292.tif 000023
【図２２】
2019102292.tif 000024
【図２３】
2019102292.tif 000025
【図２４】
2019102292.tif 000026
【図２５】
2019102292.tif 000027
【図２６】
2019102292.tif 000028
【図２７】
2019102292.tif 000029
【図２８】
2019102292.tif 000030
【図２９】
2019102292.tif 000031